(57)【特許請求の範囲】
【請求項１】
被処理基板に対する所定のプロセスを行う１以上の製造装置と、当該１以上の製造装置と接続されているサーバ装置を具備し、異常検知を行う機能を有する群管理システムを構成する前記サーバ装置であって、
前記１以上の製造装置で測定された情報についての時系列の情報であり、前記製造装置で所定のレシピを実行した場合の測定値と時刻を示す時刻情報を有する情報である測定情報を、複数格納し得る測定情報格納部と、
前記測定情報の出力指示を受け付ける指示受付部と、
前記出力指示により指定された測定情報を、前記測定情報格納部から取得する測定情報取得部と、
前記取得した測定情報を用いた出力情報を構成する出力情報構成部と、
前記出力情報構成部が構成した出力情報を出力する出力部を具備し、
前記レシピは、１以上のサブレシピを含み、
前記測定情報は、当該測定情報が対応するサブレシピを識別する情報であるサブレシピ識別子を有し、
前記複数回実行されるサブレシピに対応した測定情報は、同じサブレシピ識別子を有し、前記指示受付部の受け付ける出力指示は、前記レシピにおいて複数回実行されるサブレシピのうちの、１以上の所望の回に実行されるサブレシピを指定する指示を有し、
前記測定情報取得部は、前記出力指示により指定されたサブレシピに対応する測定情報を取得するものであって、前記測定情報格納部に格納されている測定情報について、前記出力指示により指定された複数回実行されるサブレシピのサブレシピ識別子が新たに検出された回数をカウントし、当該カウント数が、前記出力指示により指定された所望の回と一致した回のサブレシピ識別子を有する１以上の測定情報を取得するサーバ装置。
【請求項２】
前記サブレシピは２以上のステップを含み、
前記サブレシピに対応する測定情報は、ステップを識別するためのステップ識別子を含み、
前記測定情報取得部は、同じサブレシピ識別子を有する連続した測定情報において、２以上のステップ識別子が繰り返し出現するごとに、カウントアップを行う請求項１記載のサーバ装置。
【請求項３】
前記指示受付部は、前記レシピにおいて複数回実行されるサブレシピのうちの、２以上の所望の回に実行されるサブレシピを指定する前記出力指示を受け付け、
前記測定情報取得部は、２以上の異なる回のサブレシピに対応した測定情報を取得し、
前記出力情報構成部は、前記測定情報取得部が取得した２以上の異なる回のサブレシピに対応した測定情報のうちの、各サブレシピ内の所定の始点からの経過時間が一致する測定情報に対して、所定の演算を行い、その演算結果に応じた出力情報を構成する請求項１または請求項２いずれか記載のサーバ装置。
【請求項４】
前記出力情報構成部は、
前記取得した測定情報を、当該測定情報が有する時刻情報が示す時刻の順にプロットしたチャートであるＳＰＣチャートを構成し、
前記出力部は、
前記出力情報構成部が構成したＳＰＣチャートを出力する請求項１または請求項２いずれか記載のサーバ装置。
【請求項５】
前記出力情報構成部は、
前記取得した測定情報から、二種類の測定情報の相関を示すチャートである相関チャートを構成し、
前記出力部は、
前記出力情報構成部が構成した相関チャートを出力する請求項１または請求項２いずれか記載のサーバ装置。
【請求項６】
前記出力情報構成部は、
前記取得した測定情報から、三種類以上の測定情報の相関を示すチャートであるＭＤ（マハラノビス距離）チャートを構成し、
前記出力部は、
前記出力情報構成部が構成したＭＤチャートを出力する請求項１または請求項２いずれか記載のサーバ装置。
【請求項７】
コンピュータに、
測定情報格納部に複数格納された、被処理基板に対する所定のプロセスを行う１以上の製造装置で測定された情報についての時系列の情報であり、前記製造装置で所定のレシピを実行した場合の測定値と時刻を示す時刻情報を有する情報である測定情報の出力指示を受け付ける指示受付ステップと、
前記出力指示により指定された測定情報を、前記測定情報格納部から取得する測定情報取得ステップと、
前記取得した測定情報を用いた出力情報を構成する出力情報構成ステップと、
前記出力情報構成ステップで構成した出力情報を出力する出力ステップと、を実行させるためのプログラムであって、
前記レシピは、１以上のサブレシピを含み、
前記測定情報は、当該測定情報が対応するサブレシピを識別する情報であるサブレシピ識別子を有し、
前記複数回実行されるサブレシピに対応した測定情報は、同じサブレシピ識別子を有し、
前記指示受付ステップで受け付ける出力指示は、前記レシピにおいて複数回実行されるサブレシピのうちの、１以上の所望の回に実行されるサブレシピを指定する指示を有し、
前記測定情報取得ステップは、前記出力指示により指定されたサブレシピに対応する測定情報を取得するものであって、前記測定情報格納部に格納されている測定情報について、前記出力指示により指定された複数回実行されるサブレシピのサブレシピ識別子が新たに検出された回数をカウントし、当該カウント数が、前記出力指示により指定された所望の回と一致した回のサブレシピ識別子を有する１以上の測定情報を取得するプログラム。
【請求項８】
前記サブレシピは２以上のステップを含み、
前記サブレシピに対応する測定情報は、ステップを識別するためのステップ識別子を含み、
前記測定情報取得ステップは、同じサブレシピ識別子を有する連続した測定情報において、２以上のステップ識別子が繰り返し出現するごとに、カウントアップを行う請求項７記載のプログラム。
【請求項９】
前記指示受付ステップは、前記レシピにおいて複数回実行されるサブレシピのうちの、２以上の所望の回に実行されるサブレシピを指定する前記出力指示を受け付け、
前記測定情報取得ステップは、２以上の異なる回のサブレシピに対応した測定情報を取得し、
前記出力情報構成ステップは、前記測定情報取得ステップで取得した２以上の異なる回のサブレシピに対応した測定情報のうちの、各サブレシピ内の所定の始点からの経過時間が一致する測定情報に対して、所定の演算を行い、その演算結果に応じた出力情報を構成する請求項７または請求項８いずれか記載のプログラム。
【発明の詳細な説明】
【技術分野】
【０００１】
本発明は、例えば、被処理基板に対する所定のプロセスを行う１以上の製造装置と、当該１以上の製造装置と接続されるサーバ装置とを具備する群管理システムの、サーバ装置等に関するものである。
【背景技術】
【０００２】
従来、測定器から送られてくるデータを自動的に、かつ正確に加工できる半導体製造装置の群管理システムにおける測定データ加工方法が知られていた（例えば、特許文献１参照）。本測定データ加工方法においては、群管理システムの群管理部の測定器通信部に測定器が送信してくる種々の測定データを受信する。そして、前記測定データを加工する計算式を予め登録しておき、前記測定データを受信したとき、前記測定データを測定データ受信バッファに格納するとともに、前記測定データが有するレシピ名称に基づいて、前記登録された計算式の中から前記測定データを加工するのに適する少なくとも一つの同じレシピ名称をもつ計算式を選択して計算式格納バッファに格納し、格納された前記測定データを前記選択された計算式に適用して計算し、計算結果を加工済みデータ格納バッファに記憶するようにしていた。
【０００３】
また、従来の半導体製造装置の群管理システムは、半導体製造装置で測定された時系列の情報（以下チャートと記載）を表示する機能を有していた。
【０００４】
さらに、群管理システムを構成する製造装置として、いわゆるバッチ式縦型熱処理装置がある（特許文献２、特許文献３参照）。
【０００５】
通常、半導体製造装置においては、レシピと呼ばれる製造パラメータ等を含む処理手順を示す情報に従って、製造プロセスが実行される。レシピのシークエンスを構成する各手順はステップ、あるいはレシピステップと呼ばれる。半導体製造装置の異常等は、ステップが変更された際に、そのステップのパラメータに応じた制御が行われるか否かで判断することができる。このため、ステップが実行されている期間内に、測定器により取得された測定データを全て取得し監視することで、半導体製造装置の異常等を知ることができる。
【０００６】
このような半導体製造装置においては、上述したレシピを構成する１以上のステップとして、レシピと同様の複数のステップを備えた処理手順を示す情報が用いられることが多く、この情報は、サブレシピと呼ばれる。すなわちレシピは、サブレシピを用いることにより、レシピ内にレシピを含むような入れ子構造となっている。このようなサブレシピを、レシピを構成する２以上のステップにおいて用いることで、サブレシピ内の複数のステップにより構成される処理を、一つのレシピ内で、繰り返し実行させることが可能となる。このようなサブレシピを使用することで、サブレシピのパラメータ等を変更することで、このサブレシピを有するステップのパラメータが、結果的に全て変更されることができ、レシピの設定等が容易になる。
【先行技術文献】
【特許文献】
【０００７】
【特許文献１】特開平１１−３５４３９５号公報（第１頁、第１図等）
【特許文献２】特許３５４３９９６号公報（第１頁、第１図等）
【特許文献３】特開２００２−２５９９７号公報（第１頁、第１図等）
【発明の概要】
【発明が解決しようとする課題】
【０００８】
しかしながら、従来のサーバ装置においては、サブレシピを製造装置に実行させた際に測定された測定値を、適切に取得することができないという課題があった。
【０００９】
すなわち、従来のサーバ装置においては、レシピが、同じサブレシピを複数含む場合において、そのサブレシピの測定値を含む情報を取得して、出力しようとした場合、サブレシピが最初に実行された際に得られた測定値しか取得することができなかった。このため、同じサブレシピを実行させた結果得られた測定値のうちの、例えば、２回目のサブレシピについての測定値を取得することができなかった。この結果、所望のサブレシピの測定値を自由に取得することができず、測定値を用いた製造装置の監視等が適切に行うことができなかった。
【課題を解決するための手段】
【００１０】
本発明のサーバ装置は、被処理基板に対する所定のプロセスを行う１以上の製造装置と、当該１以上の製造装置と接続されているサーバ装置を具備し、異常検知を行う機能を有する群管理システムを構成する前記サーバ装置であって、前記１以上の製造装置で測定された情報についての時系列の情報であり、前記製造装置で所定のレシピを実行した場合の測定値と時刻を示す時刻情報を有する情報である測定情報を、複数格納し得る測定情報格納部と、前記測定情報の出力指示を受け付ける指示受付部と、前記出力指示により指定された測定情報を、前記測定情報格納部から取得する測定情報取得部と、前記取得した測定情報を用いた出力情報を構成する出力情報構成部と、前記出力情報構成部が構成した出力情報を出力する出力部を具備し、前記レシピは、１以上のサブレシピを含み、前記指示受付部の受け付ける出力指示は、前記レシピにおいて複数回実行されるサブレシピのうちの、１以上の所望の回に実行されるサブレシピを指定する指示を有し、前記測定情報取得部は、前記出力指示により指定されたサブレシピに対応する測定情報を取得するサーバ装置である。
【００１１】
かかる構成により、所望のサブレシピに対応した測定情報を、サブレシピとそのサブレシピの処理回（実行回数）を指定することにより、選択的に出力することができる。これにより、例えば、監視等に必要な情報を選択的に出力させて、監視区間を限定することができ、監視等を効率的に行うようにすることができる。具体的には、あるレシピにおいて、ループして実行されるサブレシピがあった場合に、監視すべき対象を、例えば第１回目に実行されたサブレシピにより得られた測定値等に限定することができる。また、異常検知を行う区間を限定することにより、不必要な区間の異常検知が不要となり、異常検知を適正に行うことが可能となる。
【００１２】
また、本発明のサーバ装置は、前記サーバ装置において、前記測定情報取得部は、前記測定情報格納部に格納されている測定情報について、前記出力指示により指定された、前記複数回実行されるサブレシピに対応した測定情報の群が新たに出現する回数をカウントし、当該カウント数が、前記出力指示により指定された所望の回と一致した回の測定情報の群に含まれる１以上の測定情報を取得するサーバ装置である。
【００１３】
かかる構成により、所望のサブレシピに対応した測定情報を選択的に出力することができる。
【００１４】
また、本発明のサーバ装置は、前記サーバ装置において、前記サブレシピは２以上のステップを含み、前記測定情報取得部は、サブレシピを構成する２以上のステップに対応した２以上の測定情報が繰り返し出現する際に、当該繰り返し出現する１以上の測定情報を、前記複数回実行されるサブレシピに対応した測定情報の群とするサーバ装置である。
【００１５】
かかる構成により、繰り返し実行されたサブレシピに対応した測定情報から、サブレシピの処理回を適切にカウントして、所望の処理回において取得された測定情報を選択的に出力することができる。
【００１６】
また、本発明のサーバ装置は、前記サーバ装置において、前記測定情報は、当該測定情報が対応するサブレシピを識別する情報であるサブレシピ識別子を有し、前記複数回実行されるサブレシピに対応した測定情報は、同じサブレシピ識別子を有し、前記測定情報取得部は、前記測定情報格納部に格納されている測定情報について、前記出力指示により指定された複数回実行されるサブレシピのサブレシピ識別子が新たに検出された回数をカウントし、当該カウント数が、前記出力指示により指定された所望の回と一致した回のサブレシピ識別子を有する１以上の測定情報を取得するサーバ装置である。
【００１７】
かかる構成により、所望のサブレシピに対応した測定情報を選択的に出力することができる。
【００１８】
また、本発明のサーバ装置は、前記サーバ装置において、前記サブレシピは２以上のステップを含み、前記サブレシピに対応する測定情報は、ステップを識別するためのステップ識別子を含み、前記測定情報取得部は、同じサブレシピ識別子を有する連続した測定情報において、２以上のステップ識別子が繰り返し出現するごとに、カウントアップを行うサーバ装置である。
【００１９】
かかる構成により、繰り返し実行されたサブレシピに対応した測定情報から、サブレシピの処理回を適切にカウントして、所望の処理回において取得された測定情報を選択的に出力することができる。
【００２０】
また、本発明のサーバ装置は、前記サーバ装置において、前記指示受付部は、前記レシピにおいて複数回実行されるサブレシピのうちの、２以上の所望の回に実行されるサブレシピを指定する前記出力指示を受け付け、前記測定情報取得部は、２以上の異なる回のサブレシピに対応した測定情報を取得し、前記出力情報構成部は、前記測定情報取得部が取得した２以上の異なる回のサブレシピに対応した測定情報のうちの、各サブレシピ内の所定の始点からの経過時間が一致する測定情報に対して、所定の演算を行い、その演算結果に応じた出力情報を構成するサーバ装置である。
【００２１】
かかる構成により、サブレシピの異なる処理回の測定情報を、目的に応じて処理して出力することができ、監視等がしやすくなるとともに、測定情報を様々な目的に柔軟に利用することができる。
【００２２】
また、本発明のサーバ装置は、前記サーバ装置において、前記出力情報構成部は、前記取得した測定情報を、当該測定情報が有する時刻情報が示す時刻の順にプロットしたチャートであるＳＰＣチャートを構成し、前記出力部は、前記出力情報構成部が構成したＳＰＣチャートを出力するサーバ装置である。
【００２３】
かかる構成により、製造装置の経時変化やバラツキ監視を容易に行える。
【００２４】
また、本発明のサーバ装置は、前記サーバ装置において、前記出力情報構成部は、前記取得した測定情報から、二種類の測定情報の相関を示すチャートである相関チャートを構成し、前記出力部は、前記出力情報構成部が構成した相関チャートを出力するサーバ装置である。
【００２５】
かかる構成により、二変量の相関関係を監視でき、効果的に異常検知ができる。
【００２６】
また、本発明のサーバ装置は、前記サーバ装置において、前記出力情報構成部は、前記取得した測定情報から、三種類以上の測定情報の相関を示すチャートであるＭＤ（マハラノビス距離）チャートを構成し、前記出力部は、前記出力情報構成部が構成したＭＤチャートを出力するサーバ装置である。
【００２７】
かかる構成により、多変量の相関関係を監視でき、さらに効果的に異常検知ができる。
【発明の効果】
【００２８】
本発明によるサーバ装置等によれば、所望のサブレシピに対応した測定情報を選択的に出力することができる。
【図面の簡単な説明】
【００２９】
【図１】実施の形態における群管理システムの概念図
【図２】同群管理システムの半導体製造装置の例を示す図
【図３】同群管理システムのブロック図
【図４】同群管理システムの製造装置の動作について説明するフローチャート
【図５】同群管理システムのサーバ装置の動作について説明するフローチャート
【図６】同群管理システムのサーバ装置の測定情報を取得する処理について説明するフローチャート
【図７】同群管理システムのレシピ管理表を示す図
【図８】同群管理システムのサブレシピ管理表を示す図
【図９】同群管理システムの元情報の例を示す図
【図１０】同群管理システムの元情報管理表を示す図
【図１１】同群管理システムの測定情報管理表を示す図
【図１２】同群管理システムのクライアント装置の表示例を示す図
【図１３】同群管理システムの取得情報管理表を示す図
【図１４】同群管理システムのクライアント装置の表示例を示す図
【図１５】同群管理システムのクライアント装置の表示例を示す図
【図１６】同群管理システムのクライアント装置の表示例を示す図
【図１７】同群管理システムのクライアント装置の表示例を示す図
【図１８】同群管理システムのクライアント装置の表示例を示す図
【図１９】同群管理システムのクライアント装置の表示例を示す図
【発明を実施するための形態】
【００３０】
以下、サーバ装置等の実施形態について図面を参照して説明する。なお、実施の形態において同じ符号を付した構成要素は同様の動作を行うので、再度の説明を省略する場合がある。
【００３１】
（実施の形態）
図１は、本実施の形態における群管理システムの概念図である。群管理システムは、例えば、半導体製造装置や、液晶パネル製造装置等の製造装置を制御するシステムである。また、群管理システムは、１以上の製造装置１１（製造装置１１ａから製造装置１１ｎ（ただしｎは任意数を示す））、サーバ装置１２、およびクライアント装置１３を有する。
【００３２】
製造装置１１は、被処理基板、例えば、半導体ウエハ等、に対する所定のプロセスを行う装置である。製造装置１１は、例えば、成膜処理、エッチング処理、熱酸化処理等の被処理基板に対する各種処理を行う。製造装置１１は、例えば、上述の特許文献２、または特許文献３等におけるバッチ式縦型熱処理装置である。本製造装置１１の例を図２に示す。本製造装置１１は、ローディング室として、他の室に対して密閉可能になされ、不活性雰囲気としてＮ２ガスが供給・真空引き可能になされたいわゆるロードロック室構造になされた装置である。製造装置１１は、被処理体であるウエハＷに所定の処理を施す処理室であるプロセスチューブａと、このプロセスチューブａに対して多数枚例えば１００枚のウエハＷを収納した保持体としてのウエハボートｆを挿脱する移送機構ｇを備えたローディング室としてのロードロック室ｈと、このロードロック室ｈに対してウエハＷを搬出入する搬出入室ａｂと、この搬出入室ａｂに形成されたカセット収容容器用ポートａｃと、このポートａｃに載置されたカセット収容容器ａｄを搬出入室ａｂ内に取り込む取り込み手段ａｅと、取り込んだカセット収容容器ａｄを一時的に保管する容器保管ステージａｆと、カセット収容容器ａｄ内に収容されたカセットＣを取り出すカセット取り出しステージａｇと、搬出入室ａｂ内にてカセット収容容器ａｄの受け渡しを行う容器移載手段ａｈと、ロードロック室ｈと搬出入室ａｂとの間に配置されるウエハボートｆを収容する保持体収容室ａｉとで主要部が構成されている。なお、図２の製造装置１１の例における、その他の部位、および動作については、公知技術（特許文献２参照）であるので詳細な説明は省略する。また、製造装置１１を構成するチャンバーとして、特許文献３の図１におけるチャンバーが好適である。
【００３３】
また、製造装置１１は、例えば、ウエハに対する所定のプロセスに関する情報であるレシピを格納しており、当該レシピを用いて制御する。
【００３４】
また、サーバ装置１２は、いわゆる群管理システムを構成するサーバ装置であり、１以上の製造装置１１における各種の測定情報を格納可能であり、当該測定情報に対して、異常検知を行う機能を有する。
【００３５】
また、クライアント装置１３は、サーバ装置１２に対して各種の要求を出し、サーバ装置１２における処理結果を受け付ける。
【００３６】
図３は、本実施の形態における群管理システムのブロック図である。
【００３７】
製造装置１１は、入力受付部１１０１、レシピ格納部１１０２、製造装置識別子格納部１１０３、計時部１１０４、処理部１１０５、測定部１１０６、元情報蓄積部１１０７、元情報送信部１１０８を具備する。
【００３８】
サーバ装置１２は、測定情報格納部１２０１、元情報受信部１２０２、測定情報取得部１２０３、測定情報蓄積部１２０４、指示受付部１２０５、出力情報構成部１２０６、出力部１２０７、出力指示蓄積部１２０８、条件情報格納部１２０９、異常検知部１２１０を具備する。
【００３９】
クライアント装置１３は、指示入力部１３０１、指示送付部１３０２、受付部１３０３、表示部１３０４を具備する。
【００４０】
入力受付部１１０１は、製造装置１１のユーザから各種の入力を受け付ける。各種の入力とは、例えば、レシピや、レシピを識別するレシピ識別子や、ウエハに対する加工処理等の処理の実行指示などである。ユーザから各種の入力の入力手段は、テンキーやキーボードやマウスやメニュー画面によるもの等、何でも良い。入力受付部１１０１は、テンキーやキーボード等の入力手段のデバイスドライバーや、メニュー画面の制御ソフトウェア等で実現され得る。
【００４１】
レシピ格納部１１０２は、製造装置１１を制御するために使用されるレシピを格納している。レシピとは、製造装置１１が実行する所定のプロセスに関する情報であり、通常、プロセスを構成する複数の手順や、その手順におけるプロセスパラメータ等を設定する情報を含む。レシピを構成する各手順は、通常、ステップ、あるいはレシピステップと呼ばれる。ステップには、通常、プロセスの一部の手順や、その手順におけるプロセスパラメータ等を設定する情報を含む。ここで、レシピを構成する１以上のステップとして、レシピと同様の１以上、通常は２以上、のステップを備えた情報が用いられることが多く、この情報は、サブレシピと呼ばれる。すなわちレシピは、サブレシピを用いることにより、レシピ内にレシピを含むような入れ子構造（ネスト構造）となっている。プロセスパラメータの情報は、例えば、カテゴリー名、アイテム名、パラメータ名、値を含む。カテゴリー名とは、プロセスパラメータの種類を示す名称であり、例えば、「温度」「ガス流量」「ボートエレベーターのスピード」などである。アイテム名は、プロセスパラメータの属性を示す名称であり、例えば、「上下速度」「回転速度」などである。パラメータ名は、プロセスパラメータの名称であり、例えば、「Ｃ」「Ａ」などである。値は、プロセスパラメータという変数に与える値である。通常、レシピは、レシピを識別するレシピ識別子（例えば、レシピ名）と対に格納されている。また、レシピは、当該レシピを構成するステップの識別子であるステップ識別子、サブレシピを識別するためのサブレシピ識別子とともにレシピ格納部１１０２に格納されている。ステップ識別子は、例えば、ステップの名称や、識別番号等である。サブレシピ識別子は、サブレシピの名称や、識別番号等である。サブレシピを構成するステップは、レシピを構成するステップと同様のものであり、レシピを構成するステップと同じステップ識別子を有していても良いが、ここでは、説明の便宜上、サブレシピを構成するステップを、サブレシピステップと呼び、その識別子をサブレシピステップ識別子と呼ぶ。レシピ格納部１１０２は、不揮発性の記録媒体が好適であるが、揮発性の記録媒体でも実現可能である。
【００４２】
製造装置識別子格納部１１０３は、製造装置１１を識別する製造装置識別子を格納している。製造装置識別子は、各製造装置１１を識別できる情報であればよく、例えば、装置名や、型番、製造番号や、各製造装置１１に設定された識別番号や名称等であってもよい。この製造装置識別子は、入力受付部１１０１が受け付けた情報でも良いし、製造装置出荷時に予め格納した情報でも良い。製造装置識別子格納部１１０３は、ハードディスクやＲＯＭ等の不揮発性の記録媒体でも、ＲＡＭ等の揮発性の記録媒体でも良い。
【００４３】
計時部１１０４は、時を計測する。計時部１１０４は、時を計測した結果得られた時刻を示す情報を、測定部１１０６に出力する。ここで述べる時刻を示す情報は、年月日等の情報を含んでいていてもよい。計時部１１０４が計時する時間は、絶対時間であっても良く、相対時間であっても良い。計時部１１０４は、例えば時計等で実現される。
【００４４】
処理部１１０５は、レシピ格納部１１０２のレシピを読み出し、当該レシピにしたがって、被処理基板に対する所定のプロセスを行う。処理部１１０５は、通常、ＭＰＵやメモリ等から実現され得る。処理部１１０５の処理手順は、通常、ソフトウェアで実現され、当該ソフトウェアはＲＯＭ等の記録媒体に記録されている。但し、ハードウェア（専用回路）で実現しても良い。
【００４５】
測定部１１０６は、製造装置１１内の温度や、ガス流量や、圧力、製造装置１１の電力などを測定し、チャート化等の対象となる測定情報の元になる情報である元情報を取得する。元情報は、測定した温度などの情報である。測定部１１０６は、例えば、定期、あるいは不定期の所定の時間間隔で測定を行う。元情報は、測定により得られた値である測定値を有する。また、元情報は、通常、測定した時刻を示す時刻情報を有する。この時刻情報は、例えば計時部１１０４から取得される。元情報は、測定部１１０６が温度等の値を測定していた際に実行していたステップを識別するステップ識別子と、測定した値である測定値と、測定した時刻を示す時刻情報を有することが好適である。また、測定していた際に、実行中のステップとして、サブレシピが実行されていた場合、実行中のサブレシピを識別するサブレシピ識別子を有する。さらには、実行中のサブレシピのうちの、実行中のサブレシピステップを識別するサブレシピステップ識別子を有していることが好適である。なお、レシピ識別子や、ステップ識別子、サブレシピ識別子、サブレシピステップ識別子等は、例えば、レシピ格納部１１０２から取得される。元情報は、実行していたレシピについてのレシピ識別子を有していても良い。また、元情報がレシピを実行した製造装置１１の製造装置識別子を有していても良い。この製造装置識別子は、例えば製造装置識別子格納部１１０３から取得される。また、元情報は、測定部１１０６が測定する、測定対象、例えば温度やガス圧等や、測定箇所、例えばプロセスチューブ内等、を識別するための情報、例えば測定対象の名称や、測定箇所の名称、あるいはこれらに対応した識別情報等を有していても良い。測定部１１０６は、複数の箇所の複数の温度や、温度とガス流量などの複数の値を測定しても良いことは言うまでもない。つまり、元情報は、二種類以上の測定された値を有しても良い。測定部１１０６は、１以上の温度センサや１以上の流量センサなどのセンサ等で実現され得る。
【００４６】
元情報蓄積部１１０７は、測定部１１０６が取得した元情報を、図示しない記録媒体に蓄積する。元情報蓄積部１１０７は、通常、ＭＰＵやメモリ等から実現され得る。元情報蓄積部１１０７の処理手順は、通常、ソフトウェアで実現され、当該ソフトウェアはＲＯＭ等の記録媒体に記録されている。但し、ハードウェア（専用回路）で実現しても良い。また、上記の図示しない記録媒体は、不揮発性の記録媒体が好適であるが、揮発性の記録媒体でも実現可能である。
【００４７】
元情報送信部１１０８は、元情報蓄積部１１０７が蓄積した元情報を、サーバ装置１２に送信する。元情報の送信のトリガーは問わない。また、元情報送信部１１０８が送信する元情報は、測定された一種以上（例えば、温度とガス流量）の値、すなわち測定値、および時刻情報を有する。また、元情報送信部１１０８が送信する元情報は、サブレシピを実行中に測定された測定値を含む場合、その測定時に実行されていたサブレシピのサブレシピ識別子を有する。また、この場合、元情報送信部１１０８が送信する元情報は、サブレシピステップ識別子を有することが好適である。また、元情報送信部１１０８が送信する元情報は、ステップ識別子を有することが好適である。さらに加えて、元情報送信部１１０８が送信する元情報は、製造装置１１を識別する製造装置識別子や、レシピを識別するレシピ識別子を有することが好適である。また、測定部１１０６が測定する、測定対象、例えば「温度」や「ガス圧」等や、測定箇所、例えば「プロセスチューブ内」等、を識別するための情報を有していても良い。なお、元情報蓄積部１１０７が蓄積した元情報と、元情報送信部１１０８が送信する元情報は、その構造や構成が異なっていても良い。また、元情報は、複数の測定された値に対して、一つの製造装置識別子または一つのレシピ識別子あるいは一つのステップ識別子の少なくとも一つを有する構成でも良い。元情報送信部１１０８は、無線または有線の通信手段等で実現され得る。また、元情報送信部１１０８は、元情報をサーバ装置１２に送信する前に、レシピ格納部１１０２や製造装置識別子格納部１１０３から、それぞれサブレシピ識別子や、サブレシピステップ識別子や、ステップ識別子や、レシピ識別子や、製造装置識別子を読み出し、元情報に付加しても良い。また、元情報送信部１１０８は、値（例えば、ガス流量）が測定される毎に、元情報を送信しても良いし、所定数の測定した値をまとめた元情報（例えば、１０個をまとめた元情報）を一度に送信しても良い。元情報送信部１１０８が送信するデータの単位やデータ構造等は問わない。また、送信する元情報を構成する処理は、元情報送信部１１０８ではなく、元情報蓄積部１１０７が行っても良い。測定された元情報や、製造装置識別子やレシピ識別子やレシピステップ識別子を送信するタイミングなども問わない。
【００４８】
測定情報格納部１２０１は、複数の測定情報を格納し得る。複数の測定情報は、複数の製造装置１１で測定された一種以上の情報（例えば、温度や圧力）についての時系列の情報であり、製造装置で所定のプロセスを実行した場合の測定値と時刻を示す時刻情報を有する情報である。また、測定情報は、サブレシピを実行中に測定された測定値を含む場合、サブレシピ識別子を有する。また、この場合、元情報送信部１１０８が送信する元情報は、サブレシピステップ識別子を有することが好適である。また、複数の測定情報は、製造装置１１を識別する製造装置識別子や、レシピ識別子や、ステップ識別子等を有していても良い。測定情報は、元情報受信部１２０２が受信した複数の元情報に対して、測定情報取得部１２０３が所定の演算を行い、取得された情報でも良いし、元情報と同じ情報でも良い。測定情報格納部１２０１は、不揮発性の記録媒体が好適であるが、揮発性の記録媒体でも実現可能である。なお、測定情報格納部１２０１の測定情報は、測定情報蓄積部１２０４が蓄積した情報でも良いし、製造装置１１から直接に受信した情報でも良いし、図示しない記録媒体から読み出した情報でも良い。
【００４９】
元情報受信部１２０２は、複数の測定情報の元になる情報である元情報を複数の製造装置１１から受信する。元情報受信部１２０２は、無線または有線の通信手段等で実現され得る。
【００５０】
測定情報蓄積部１２０４は、元情報受信部１２０２が受信した複数の元情報を用いた測定情報を測定情報格納部１２０１に蓄積する。この測定情報は、元情報受信部１２０２が受信した複数の元情報に対して、測定情報取得部１２０３が所定の演算を行い、取得された情報でも良いし、元情報と同じ情報でも良い。所定の演算とは、例えば、所定の時間間隔ごとに、複数の元情報が有する複数の値の平均値を算出したり、最大値を取得したり、最小値を取得したり、値を標準化したり、標準偏差を算出したり、中央値を取得したりする演算である。なお、測定情報取得部１２０３が取得した複数の測定情報を、測定情報格納部１２０１に配置する場合は、測定情報蓄積部１２０４が行う蓄積処理はＮＯＰ（Ｎｏ  Ｏｐｅｒａｔｉｏｎ）と同意義となる。測定情報蓄積部１２０４は、通常、ＭＰＵやメモリ等から実現され得る。測定情報蓄積部１２０４の処理手順は、通常、ソフトウェアで実現され、当該ソフトウェアはＲＯＭ等の記録媒体に記録されている。但し、ハードウェア（専用回路）で実現しても良い。
【００５１】
指示受付部１２０５は、指示を受け付ける。この指示は、通常、クライアント装置１３から受信するが、サーバ装置１２に接続されているキーボードやマウス等から受け付けても良い。指示受付部１２０５が受け付ける指示は、例えば、測定情報格納部１２０１に格納されている測定情報の出力指示である。この出力指示は、例えば、レシピを構成するステップのうちの、所望のステップに対応した測定情報の出力指示である。また、例えば、この出力指示は、レシピにおいて複数回実行されるサブレシピのうちの、１以上の所望の回に実行されるサブレシピを指定する指示を有するものである。「１以上の所望の回」とは、特定の一つの回、例えば第１回、であっても良いし、特定の複数の回、例えば第２回と、第５回との両方、であっても良いし、全ての回、であってもよい。このサブレシピを指定する指示は、指定するサブレシピに対応したサブレシピ識別子を有する指示であっても良い。出力指示は、例えば、所望のレシピを実行中に測定された値を含む測定情報を出力させるために、レシピを指定する情報、例えば、レシピ識別子等を含んでも良い。出力指示には、複数の製造装置１１のうちの特定の製造装置についての測定情報を出力させるために、複数の製造装置１１のうちの少なくともいずれか一つを指定する情報、例えば、製造装置識別子等を含んでも良い。また、出力指示には、測定情報をどのように出力するかを指定する情報を含んでいても良い。例えば、測定情報を、所望の形式のデータとして出力する指示や、チャート化して出力する指示であっても良いし、測定情報を用いて所定の分析や処理、例えば多変量解析や統計処理等を行った結果を出力する指示であっても良い。また、測定情報を用いて異常検知や異常分析等を行う指示であってもよい。また、出力指示は、出力するチャートの種類、例えば、ＳＰＣチャート、相関チャート、またはＭＤチャートなど、の情報を含んでも良い。また、出力指示は、チャート出力する測定情報のデータのタイプ、例えば温度や、ガス流量や、圧力など、を指定する情報を含んでも良い。また、出力指示は、チャートを構成する点や線の属性情報を含んでも良い。属性情報とは、点の色、点の種類（形状）、線の色、線種などである。指示受付部１２０５は、例えば、無線または有線の受信手段からなる。指示の入力手段は、テンキーやキーボードやマウスやメニュー画面によるもの等、何でも良い。指示受付部１２０５は、テンキーやキーボード等の入力手段のデバイスドライバーや、メニュー画面の制御ソフトウェア等で実現され得る。
【００５２】
測定情報取得部１２０３は、指示受付部１２０５が受け付けた、測定情報の出力指示により指定された測定情報を、測定情報格納部１２０１から取得する。特に、出力指示が、複数回実行されるサブレシピのうちの、１以上の所望の回に実行されるサブレシピを指定する指示を有する場合、この指定された回のサブレシピに対応する測定情報、例えば、当該サブレシピの実行時に測定された測定情報や、この測定情報に対して所定の演算等の処理が行われた測定情報を取得する。測定情報取得部１２０３は、１以上の指定された回（例えば、１回目のみや、５回目のみ、あるいは１回目と４回目の両方等）の測定情報を、測定情報取得部１２０３が取得する。具体的には、測定情報取得部１２０３は、出力指示に含まれるステップ識別子やサブレシピ識別子と一致する識別子と関連づけられた測定情報を、測定情報格納部１２０１から取得する。さらに、出力指示に、装置識別子や、レシピ識別子等も含まれる場合、当該装置識別子や、レシピ識別子についても一致する測定情報を取得する。測定情報取得部１２０３は、測定情報取得部１２０３は、出力指示により指定された、複数回実行されるサブレシピに対応した測定情報の群、すなわち、このサブレシピを一回実行した際に測定された１以上の測定値を用いて得られた１以上の測定情報の集まり、が新たに出現する回数をカウントする。そして、このカウント数が、出力指示により指定された所望の回と同じになった際に、この出現した測定情報の群に含まれる１以上の測定情報を取得する。具体的には、複数回実行されるサブレシピに対応した測定情報が同じサブレシピ識別子を有するものとすると、複数回実行されるサブレシピのサブレシピ識別子と、その１以上の実行される回を指定する出力指示を受け付けた場合、測定情報取得部１２０３は、測定情報格納部１２０１に格納されている測定情報について、出力指示により指定された複数回実行されるサブレシピのサブレシピ識別子が新たに検出された回数をカウントし、その回数が、出力指示に含まれる回に一致した場合に、その一致した回の測定情報を取得する。より具体的には、測定情報取得部１２０３は、測定情報格納部１２０１に格納されている測定情報について、出力指示に含まれるサブレシピ識別子が一致する測定情報が新たに検出された回数をカウントし、その回数が、出力指示に含まれる回に一致した場合に、その一致した回の、出力指示により指定されたサブレシピ識別子を有する測定情報を取得する。なお、時間軸上において、同じサブレシピ識別子を有する測定情報が、連続して現れたり、検出されたりした場合には、同じサブレシピが繰り返されている場合を除いて、測定情報の新たな出現や、新たな検出とは考えず、それらは、一つの測定情報の群と考えられる。なお、ここでの新たな出現を検出する処理は、測定情報を時刻を示す情報を用いてソートした場合の処理を前提としている。新たに出現する回数、もしくは新たに検出された回数をカウントとは、結果的に、新たに出現する回数、もしくは新たに検出された回数をカウントできる処理であれば良い。例えば、この処理は、出力指示に含まれるサブレシピ識別子と一致するサブレシピ識別子を有する測定情報が検索された場合であって、時間軸上において、その測定情報の直前の測定情報の有するサブレシピ識別子が、出力指示に含まれるサブレシピ識別子ではない場合に、カウントアップする処理である。さらに、サブレシピが２以上のサブレシピステップを含み、このサブレシピが連続して繰り返し実行されることが考えられる場合においては、単に、サブレシピ識別子が新たに出現する回数をカウントしただけでは、繰り返された複数のサブレシピに対応した測定情報が、時間軸上において連続しており、同じサブレシピ識別子を有するものとなることから、上記の方法では、一つのサブレシピから得られた測定情報と判断される恐れがある。このため、このような場合においては、測定情報取得部１２０３は、サブレシピを構成する２以上のサブレシピステップに対応した２以上の測定情報が繰り返し出現する際に、この繰り返し出現する１以上の測定情報を、複数回実行されるサブレシピに対応した測定情報の群の一つであると判断して、カウントアップを行う。具体的には、測定情報取得部１２０３は、同じサブレシピ識別子を有する連続した複数の測定情報において、２以上のサブレシピステップ識別子、具体的には、サブレシピを構成する２以上のサブレシピステップのサブレシピステップ識別子、が繰り返し出現するごとに、カウントアップを行う。このようにすることで、サブレシピの繰り返しが行われた場合においても、サブレシピの回数を正確にカウントすることができる。このようなサブレシピの繰り返しは、例えば、サブレシピステップ識別子が検出される際の規則性が保たれているか否かで判断可能であり、このような判断の際に利用する規則性は問わない。測定情報取得部１２０３は、通常、ＭＰＵやメモリ等から実現され得る。測定情報取得部１２０３の処理手順は、通常、ソフトウェアで実現され、当該ソフトウェアはＲＯＭ等の記録媒体に記録されている。但し、ハードウェア（専用回路）で実現しても良い。
【００５３】
出力情報構成部１２０６は、測定情報取得部１２０３が取得した測定情報を用いた出力情報を構成する。また、指示受付部１２０５が、レシピにおいて複数回実行されるサブレシピのうちの、２以上の所望の回（例えば、１回目と５回目の両方等）に実行されるサブレシピを指定する出力指示を受け付け、この出力指示に応じて測定情報取得部１２０３が、２以上の異なる回のサブレシピに対応した測定情報を取得する場合において、出力情報構成部１２０６は、測定情報取得部１２０３が取得した２以上の異なる回のサブレシピに対応した測定情報のうちの、各サブレシピ内の所定の始点からの経過時間が一致する測定情報に対して、所定の演算を行い、その演算結果に応じた出力情報を構成するようにしてもよい。所定の演算とは、具体的には、平均値の算出や、最大値や、最小値の算出、標準偏差の算出、最大値と最小値との差の算出等である。このようにすることで、例えば、２以上の異なる回のサブレシピの実行時に得られた測定値の平均値等の演算結果のチャート等を出力することができる。出力情報構成部１２０６は、例えば、予め設定された形式、もしくは指示受付部１２０５が受け付けた指示が指定する形式、具体的にはテキスト形式や、ＸＭＬ形式や、データベース形式等の出力情報を構成する。また、測定情報取得部１２０３が取得した測定情報を用いて出力情報であるチャートを構成する。その際、出力情報構成部１２０６は、異なる種類の測定情報や、異なる製造装置の測定情報を視覚的に区別して出力情報を構成することが好適である。出力情報構成部１２０６は、例えば、出力指示蓄積部１２０８に蓄積されている出力指示に応じた出力情報を構成し、出力する。また、取得した測定情報を用いて所定の演算を行い、当該演算結果に応じた出力情報を構成してもよい。所定の演算とは、例えば、所定の時間間隔ごとに、複数の測定情報が有する複数の値の平均値を算出したり、複数の測定情報を、時間軸に沿って積算したり、最大値を取得したり、最小値を取得したり、値を標準化したり、標準偏差を算出したり、中央値を取得したりする演算である。なお、このような所定の演算を、測定情報蓄積部１２０４が、元情報受信部１２０２が受信した複数の元情報を蓄積する際に、複数の元情報に対して行うようにしても良い。また、出力情報構成部１２０６は、後述する異常検知部１２１０の判断結果に応じた出力情報を構成してもよい。例えば、出力情報構成部１２０６は、測定情報取得部１２０３が取得した複数の測定情報から、チャートを構成するが、その際、出力情報構成部１２０６は、異常な測定情報と正常な測定情報とを視覚的に区別して出力情報を構成する。ここでの出力情報とは、例えば、異常である測定情報に関する測定部名と時刻のリスト情報であってもよい。この測定部名は、例えば、測定情報に含まれている測定部１１０６が測定する測定箇所を識別する情報に応じて取得される。また、出力情報とは、例えば、当該リスト情報や測定情報から構成されたチャートの情報であってもよい。出力情報とは、例えば、正常である旨、異常である旨である。出力情報とは、例えば、正常または異常のどちらかを示す音情報（ブザーなど）である。また、出力情報構成部１２０６は、異常の検知のために、異常値、正常値の範囲を示したチャートを構成する処理を行っても良い。かかる場合、異常検知部１２１０が、出力指示に合致する測定情報を読み込むが、異常検知の処理を行うか否かは問わない。出力情報構成部１２０６は、出力指示に二以上の製造装置識別子が含まれる場合、製造装置識別子ごとの測定情報が視覚的に区別できる態様のチャートを構成することは好適である。また、出力情報構成部１２０６は、出力指示に二以上のレシピ識別子が含まれる場合、レシピ識別子ごとの測定情報が視覚的に区別できる態様のチャートを構成することは好適である。ここで、製造装置識別子ごとの測定情報が視覚的に区別できる態様のチャートとは、出力指示が２以上の製造装置識別子を含む場合、製造装置識別子ごとの測定情報が異なる点の種類（四角と丸の形状、色、大きさ）で出力されているチャートや、製造装置識別子ごとの測定情報が異なる線の色で連結されているチャートなどである。また、製造装置識別子ごとの測定情報が視覚的に区別できる態様のチャートとは、出力指示が一つの製造装置識別子のみを含む場合、当該一の製造装置識別子の複数の測定情報からなるチャートをいう。また、レシピ識別子ごとの測定情報が視覚的に区別できる態様のチャートとは、出力指示が２以上のレシピ識別子を含む場合、レシピ識別子ごとの測定情報が異なる点の種類（四角と丸の形状、色、大きさ）や、レシピ識別子ごとの測定情報が異なる線の種類（実線と破線など）で連結されているチャートなどである。また、レシピ識別子ごとの測定情報が視覚的に区別できる態様のチャートとは、出力指示が一つのレシピ識別子のみを含む場合、当該一のレシピ識別子の複数の測定情報からなるチャートをいう。また、出力情報構成部１２０６は、読み出された複数の測定情報から、製造装置識別子ごとの測定情報が視覚的に区別できる態様のチャートであり、一種類の測定情報が有する時刻情報が示す時刻の順に、読み出した複数の測定情報をプロットしたチャートであるＳＰＣチャート（統計的工程管理チャート）を構成しても良い。ＳＰＣチャートは、統計的工程管理に用いられるチャートであり、単変量を監視して異常検知を行うためのチャートである。ＳＰＣチャートにおいて、監視対象の上下限値（管理値）を設定しておき、管理値外の値となった場合、異常検知部１２１０が異常を検知し、検知した異常を視覚的に示すことは好適である。このような上限値は、例えば、後述する条件情報格納部１２０９に予め保持させておくようにする。また、出力情報構成部１２０６は、出力指示が一以上の製造装置識別子を含む場合、当該一以上の製造装置識別子のうちのいずれかを有する複数の測定情報から、製造装置識別子ごとの測定情報が視覚的に区別できる態様のチャートであり、二種類の測定情報の相関を示すチャートである相関チャートを構成しても良い。相関チャートは、２変量の相関関係を監視するチャートであり、２変量から異常を検知可能なチャートである。また、出力情報構成部１２０６は、出力指示が一以上のレシピ識別子を含む場合、当該一以上のレシピ識別子のうちのいずれかを有する複数の測定情報から、レシピ識別子ごとの測定情報が視覚的に区別できる態様のチャートであり、三種類以上の測定情報の相関を示すチャートであるＭＤ（マハラノビス距離）チャートを構成しても良い。チャートの構成は、例えば、時間軸にしたがって、複数の測定情報を線で連結し、チャートを得る処理である。値と時刻情報を有する測定情報が複数与えられた場合に、チャートを構成する処理は公知技術であるので、詳細な説明は省略する。また、値と時刻情報を有する測定情報が複数与えられた場合に、ＳＰＣチャートや、相関チャートや、ＭＤチャートを構成する処理は公知技術であるので、詳細な説明は省略する。また、二種類の測定情報とは、一の測定情報の中に、二種類の測定された値（例えば、温度とガス流量）を含む情報も含む。また、三種類以上の測定情報とは、一の測定情報の中に、三種類以上の測定された値（例えば、温度とガス流量と圧力）を含む情報も含む。出力情報構成部１２０６は、通常、ＭＰＵやメモリ等から実現され得る。出力情報構成部１２０６の処理手順は、通常、ソフトウェアで実現され、当該ソフトウェアはＲＯＭ等の記録媒体に記録されている。但し、ハードウェア（専用回路）で実現しても良い。
【００５４】
出力部１２０７は、出力情報構成部１２０６が構成したチャート等の出力情報を出力する。ここで、出力とは、通常、クライアント装置１３への送信である。ただし、出力部１２０７は、サーバ装置１２に接続されているディスプレイにチャートを表示したり、プリンタへ印字したり、外部の装置へ送信したりしても良い。出力部は１２０７、無線または有線の通信手段で実現され得る。ただし、出力部は１２０７、出力デバイスのドライバーソフトまたは、出力デバイスのドライバーソフトと出力デバイス等で実現しても良い。
【００５５】
出力指示蓄積部１２０８は、点や線等の属性情報と製造装置識別子、または点や線等の属性情報とレシピ識別子等の指示である出力指示を蓄積する。出力指示蓄積部１２０８は、例えば、指示受付部１２０５がチャートの設定（色情報を含む）を蓄積する指示である蓄積指示を受け付けた場合に、点や線等の属性情報と製造装置識別子、または点や線等の属性情報とレシピ識別子を有する出力指示を蓄積しても良い。また、出力指示蓄積部１２０８は、通常、ＭＰＵやメモリ等から実現され得る。出力指示蓄積部１２０８の処理手順は、通常、ソフトウェアで実現され、当該ソフトウェアはＲＯＭ等の記録媒体に記録されている。但し、ハードウェア（専用回路）で実現しても良い。
【００５６】
条件情報格納部１２０９は、異常検知の条件に関する情報である条件情報を格納している。条件情報は、例えば、測定値の正常範囲を示す上限値と下限値である。条件情報は、例えば、正常値と異常値との間の境界値のみでも良い。これらの値は、通常、管理値と呼ばれる。その他、条件情報は、測定の対象の値（温度、圧力、ガス流量、電力量など）によって、異なる。また、条件情報の構造は問わない。条件情報格納部１２０９は、不揮発性の記録媒体が好適であるが、揮発性の記録媒体でも実現可能である。
【００５７】
異常検知部１２１０は、測定情報取得部１２０３が取得した測定情報が有する値である測定値が異常であるか、正常であるかを判断する。異常検知部１２１０は、条件情報格納部１２０９の条件情報を用いて、測定情報が有する測定値が異常であるか、正常であるかを判断する。具体的には、異常検知部１２１０は、測定情報取得部１２０３が測定情報を取得した場合、当該測定情報が、それぞれ条件情報に合致するか否かを判断する。異常検知部１２１０は、通常、ＭＰＵやメモリ等から実現され得る。異常検知部１２１０の処理手順は、通常、ソフトウェアで実現され、当該ソフトウェアはＲＯＭ等の記録媒体に記録されている。但し、ハードウェア（専用回路）で実現しても良い。なお、異常検知部１２１０における異常検知処理は、公知の異常検知の処理でも良い。
【００５８】
指示入力部１３０１は、各種の指示を入力する。各種の指示とは、例えば、上述したようなサーバ装置１２に蓄積されている測定情報の出力指示である。また、起動の指示や、チャートの出力指示や、チャートの属性値（線種や線の色や点の種類や点の色など）の変更の指示などである。指示の入力手段は、テンキーやキーボードやマウスやメニュー画面によるもの等、何でも良い。指示入力部１３０１は、テンキーやキーボード等の入力手段と、そのデバイスドライバーや、メニュー画面の制御ソフトウェア等で実現され得る。
【００５９】
指示送付部１３０２は、指示入力部１３０１から入力された指示をサーバ装置１２に送付する。ここでの送付とは、通常、通信手段を用いた送信である。指示送付部１３０２は、無線または有線の通信手段等で実現され得る。
【００６０】
受付部１３０３は、サーバ装置１２からチャート等の出力情報を受け付ける。ここでの受け付けとは、通常、通信手段を用いた受信である。受付部１３０３は、無線または有線の通信手段等で実現され得る。
【００６１】
表示部１３０４は、受付部１３０３が受け付けたチャート等の出力情報をディスプレイに表示する。なお、受付部１３０３が、サーバ装置１２から、テキスト形式や、ＸＭＬ形式や、データベース形式等の出力情報を受信する場合、表示部１３０４が、これらの出力情報から、表示データを構成するためのＭＰＵやメモリ等を備えるようにして、表示部１３０４が出力情報構成部１２０６と同様に、チャート等の表示用の出力情報を構成し、この出力情報をディスプレイに表示するようにしても良い。表示部１３０４は、ディスプレイを含むと考えても含まないと考えても良い。表示部１３０４は、ディスプレイのドライバーソフトまたは、ディスプレイのドライバーソフトとディスプレイ等で実現され得る。
【００６２】
次に、群管理システムの動作について説明する。まず、製造装置１１の動作について図４のフローチャートを用いて説明する。なお、ここでは、元情報が、測定時に実行しているステップに対応したステップ識別子、また、そのステップがサブレシピを実行するステップである場合、当該サブレシピに対応したサブレシピ識別子と、そのサブレシピを構成するサブレシピステップのうちの、測定時に実行しているサブレシピステップに対応したサブレシピステップ識別子と、を含む場合について説明する。
【００６３】
（ステップＳ４０１）処理部１１０５は、レシピ格納部１１０２のレシピを読み出す。
【００６４】
（ステップＳ４０２）処理部１１０５は、カウンタｉに１を代入する。
【００６５】
（ステップＳ４０３）処理部１１０５は、ステップＳ４０１で読み込んだレシピ中に、ｉ番目のステップが存在するか否かを判断する。ｉ番目のステップが存在すればステップＳ４０４に行き、ｉ番目のステップが存在しなければステップＳ４２０に行く。
【００６６】
（ステップＳ４０４）処理部１１０５は、ｉ番目のステップが、サブレシピを実行するステップであるか否かを判断する。サブレシピを実行するステップである場合、ステップＳ４０５に進みサブレシピを実行するステップでない場合、ステップＳ４１３に進む。
【００６７】
（ステップＳ４０５）処理部１１０５は、カウンタｈに１を代入する。
【００６８】
（ステップＳ４０６）処理部１１０５は、ステップＳ４０４で実行されると判断されたサブレシピのサブレシピステップに、ｈ番目のサブレシピステップが存在するか否かを判断する。ｈ番目のサブレシピステップが存在すればステップＳ４０７に行き、ｉ番目のステップが存在しなければステップＳ４１８に行く。
【００６９】
（ステップＳ４０７）処理部１１０５は、ｈ番目のサブレシピステップの処理を実行する。
【００７０】
（ステップＳ４０８）測定部１１０６は、予め決められた１種以上の測定（例えば、温度と圧力）を行い、測定値（ここでの測定値は、通常、１種以上の値のみ有する）を取得する。
【００７１】
（ステップＳ４０９）測定部１１０６は、計時部１１０４から時刻情報を、また、レシピ格納部１１０２から、現在実行中のサブレシピステップのサブレシピステップ識別子と、このサブレシピステップを含むステップおよびサブレシピに対応した、ステップ識別子およびサブレシピ識別子と、を取得し、測定した情報に、時刻情報と、ステップ識別子、サブレシピ識別子、およびサブレシピステップ識別子とを付与して、元情報を構成する。
【００７２】
（ステップＳ４１０）元情報蓄積部１１０７は、ステップＳ４０９で構成した元情報を、図示しないメモリに一時蓄積する。
【００７３】
（ステップＳ４１１）処理部１１０５は、ｈ番目のサブレシピステップの処理が終了したか否かを判断する。例えば、ｈ番目のサブレシピステップの処理時間が予め決められている場合、その処理時間が経過したか否かを判断する。また、ｈ番目のサブレシピステップの処理の終了条件が決まっている場合、例えば、温度が所定の温度に達した場合に処理が終了することが予め決まっている場合、処理条件を満たしたか否かを判断し、満たした場合に、処理を終了することを決定する。処理を終了する場合、ステップＳ４１２に進み、処理を終了しない場合、ステップＳ４０８に戻る。
【００７４】
（ステップＳ４１２）処理部１１０５は、カウンタｈを１、インクリメントし、ステップＳ４０６に戻る。
【００７５】
（ステップＳ４１３）処理部１１０５は、ｉ番目のステップの処理を実行する。
【００７６】
（ステップＳ４１４）測定部１１０６は、予め決められた１種以上の測定（例えば、温度と圧力）を行い、測定値（ここでの測定値は、通常、１種以上の値のみ有する）を取得する。
【００７７】
（ステップＳ４１５）測定部１１０６は、計時部１１０４から時刻情報を、また、レシピ格納部１１０２から実行中のステップについてのステップ識別子を取得し、測定した情報に時刻情報とステップ識別子とを付与して、元情報を構成する。
【００７８】
（ステップＳ４１６）元情報蓄積部１１０７は、ステップＳ４０６で構成した元情報を、図示しないメモリに一時蓄積する。
【００７９】
（ステップＳ４１７）処理部１１０５は、ｉ番目のレシピステップの処理が終了したか否かを判断する。例えば、ｉ番目のレシピステップの処理時間が予め決められている場合、その処理時間が経過したか否かを判断する。また、ｉ番目のレシピステップの処理の終了条件が決まっている場合、例えば、温度が所定の温度に達した場合に処理が終了することが予め決まっている場合、処理条件を満たしたか否かを判断し、満たした場合に、処理を終了することを決定する。処理を終了する場合、ステップＳ４１８に進み、処理を終了しない場合、ステップＳ４１４に戻る。
【００８０】
（ステップＳ４１８）元情報送信部１１０８は、ステップＳ４１０またはステップＳ４１６で一時蓄積した元情報（ここでは、１種以上の測定値と時刻情報とステップ識別子との組、または１種以上の測定値と時刻情報とステップ識別子とサブレシピ識別子とサブレシピステップ識別子との組、）をサーバ装置１２に送信する。なお、元情報送信部１１０８は、サーバ装置１２と通信するための情報（例えば、サーバ装置１２のＩＰアドレス等）を保持している、とする。
【００８１】
（ステップＳ４１９）処理部１１０５は、カウンタｉを１、インクリメントし、ステップＳ４０３に戻る。
【００８２】
（ステップＳ４２０）元情報送信部１１０８は、レシピ格納部１１０２から、レシピ識別子を読み出す。このレシピ識別子は、ステップＳ４０１で読み込んだレシピのレシピ識別子である。
【００８３】
（ステップＳ４２１）元情報送信部１１０８は、製造装置識別子格納部１１０３から、製造装置識別子を読み出す。
【００８４】
（ステップＳ４２２）元情報送信部１１０８は、ステップＳ４１０からステップＳ４１１で読み出したレシピ識別子、および製造装置識別子をサーバ装置１２に送信する。なお、元情報送信部１１０８は、サーバ装置１２と通信するための情報（例えば、サーバ装置１２のＩＰアドレス等）を保持している、とする。そして、処理を終了する。
【００８５】
なお、図４のフローチャートのステップＳ４１０やステップＳ４１６において、元情報蓄積部１１０７が、ステップＳ４０９やステップＳ４１５で構成した元情報を、図示しないメモリに一時蓄積する代わりに、逐次、ステップＳ４１８と同様にサーバ装置１２に送信するようにしても良い。このようにすれば、リアルタイムに、サーバ装置にデータを送信することができる。また、製造装置識別子や、レシピ識別子は、測定の開始時に送信するようにしても良いし、各測定情報に含ませるようにしても良い。
【００８６】
なお、ステップＳ４０９やステップＳ４１５において、元情報にステップ識別子を含ませない場合、ステップＳ４１８の処理前に、レシピ格納部１１０２から、ステップ識別子を読み出して、これをステップＳ４１８において、元情報とともに、サーバ装置１２に送信する処理を行うようにしても良い。
【００８７】
次に、サーバ装置１２の動作について図５のフローチャートを用いて説明する。なお、ここでは、指示受付部１２０５が受け付ける出力指示がチャートの出力指示である場合を例に挙げて説明する。
【００８８】
（ステップＳ５０１）指示受付部１２０５は、指示を受け付けたか否かを判断する。指示を受け付ければステップＳ５０２に行き、指示を受け付けなければステップＳ５１２に行く。
【００８９】
（ステップＳ５０２）測定情報取得部１２０３は、ステップＳ５０１で受け付けた指示がチャートの出力情報の出力指示であるか否かを判断する。チャートの出力指示であればステップＳ５０３に行き、チャートの出力指示でなければステップＳ５０１に戻る。
【００９０】
（ステップＳ５０３）測定情報取得部１２０３は、ステップＳ５０１で受け付けたチャートの出力指示に、サブレシピを指定する指示、具体的にはサブレシピ識別子、が含まれるか否かを判断する。含まれる場合、ステップＳ５０４に進み、含まれない場合、ステップＳ５０１に戻る。なお、ステップＳ５０１に戻る前に、出力指示に含まれる指示、例えば所望のステップ識別子を有する測定情報を出力する指示に従って、所望のステップ識別子を有する測定情報を取得し、出力する処理を行うようにしても良い。
【００９１】
（ステップＳ５０４）測定情報取得部１２０３は、カウンターｍに１を代入する。
【００９２】
（ステップＳ５０５）測定情報取得部１２０３は、出力指示に、複数回実行されるサブレシピのうちの、ｍ番目の所望の回に実行されるサブレシピを指定する指示があるか否かを判断する。「ｍ番目の所望の回」とは、例えば、所望のサブレシピが５回実行された場合において、所望の回を２回目と、３回目と、５回目との計３回に設定したとすると、ｍ＝１番目の所望の回は２回目、ｍ＝２番目の所望の回は３回目、ｍ＝３番目の所望の回は、５回目となる。ただし、ｍの値が増加した場合に、必ずしも複数の所望の回を、その値の小さいものから順に選択する必要はない。例えば、出力指示が、サブレシピが２回目と３回目とに実行された際に得られた測定情報を指定する指示を含む場合、ｍが「１」および「２」の時に、測定情報取得部１２０３は、出力指示にｍ番目の所望の回に実行されるサブレシピを指定する指示がある、と判断する。また、例えば、レシピの実行時に、所望のサブレシピが１０回実行された場合において、出力指示が、サブレシピが実行された全ての回において得られた測定情報を指定する指示を含む場合、１０回のサブレシピ全てについての指定があることとなるため、ｍが「１」から「１０」までのそれぞれの値である時に、測定情報取得部１２０３は、出力指示にｍ番目の所望の回に実行されるサブレシピを指定する指示がある、と判断してもよい。なお、出力指示に、出力対象となるサブレシピの処理された回を指定する値が指定されていない場合、所望の回を指定する値は、予めデフォルトで、例えば「１」等に設定するようにすることが好ましい。ｍ番目の所望の回に実行されるサブレシピを指定する指示がある場合、ステップＳ５０６に進み、ない場合、ステップＳ５０９に進む。
【００９３】
（ステップＳ５０６）測定情報取得部１２０３は、測定情報格納部１２０１に格納されている測定情報のうちの、出力指示に含まれる製造装置識別子およびレシピ識別子が一致する測定情報内から、出力指示に含まれるサブレシピ識別子に対応したサブレシピのｍ番目の処理回を実行した際に取得された測定情報を取得する。例えば、レシピの実行時に、所望のサブレシピが１０回実行された場合において、出力指示が、サブレシピが２回目と５回目とに実行された際に得られた測定情報を指定する指示を含む場合、ｍ＝１の場合には、２回目にサブレシピが実行された際に測定された測定値を用いた測定情報が取得される。また、ｍ＝２の場合には、５回目にサブレシピが実行された際に測定された測定値を用いた測定情報が取得される。この処理の詳細については、後述する。
【００９４】
（ステップＳ５０７）測定情報取得部１２０３は、ステップＳ５０６において取得した測定情報を、図示しないメモリ等に一時記憶する。なお、ステップＳ５０６において、すでにメモリ等に測定情報が蓄積されている場合、この処理は行わなくても良い。
【００９５】
（ステップＳ５０８）測定情報取得部１２０３は、カウンターｍを１インクリメントする。そして、ステップＳ５０６に戻る。
【００９６】
（ステップＳ５０９）異常検知部１２１０は、ステップＳ５０６で取得した１以上の測定情報が有する各測定値が異常であるか、正常であるか否かを判断する。具体的には、異常検知部１２１０は、条件情報を用いて、各測定値が異常であるか、正常であるか否かを判断する。
【００９７】
（ステップＳ５１０）出力情報構成部１２０６は、ステップＳ５０３で取得した測定情報を用いて、受け付けた出力指示に従ったチャートなどの出力情報を構成する。この際、測定情報に対して所定の演算を行っても良い。特に、複数回実行されたサブレシピのうちの、異なる２以上の回に対応して測定された測定情報が、測定情報取得部１２０３により取得された場合、出力情報構成部１２０６は、測定情報取得部１２０３が取得した２以上の異なる回のサブレシピに対応して得られた測定情報のうちの、各サブレシピ内の所定の始点からの経過時間が一致する測定情報に対して、所定の演算を行い、その演算結果に応じた出力情報を構成するようにしてもよい。なお、２以上の測定情報の時間軸を合わせて、それぞれの測定情報の値について、平均や、最大値や、最小値等を算出して、新たな測定情報を構成する処理については、公知技術であるので、ここでは詳細な説明は省略する。なお、出力情報がチャートである場合、チャートの線の属性値（線の色や線種や点の色や点の種類など）は、指示された属性値や、デフォルトの属性値等であり、出力情報構成部１２０６は、かかる属性値を用いて、チャートを構成する。構成するチャートは、製造装置識別子ごとの測定情報が視覚的に区別できる態様のチャート、またはレシピ識別子ごとの測定情報が視覚的に区別できる態様のチャート、あるいは、この両方を視覚的に区別できる態様のチャートである。また、構成するチャートは、出力指示が有するチャートの種類の情報（ＳＰＣチャート、相関チャート、ＭＤチャートなど）に従ったチャートである。また、出力情報構成部１２０６は、ステップＳ５０５における異常検知処理の結果に応じた出力情報を構成する。「異常検知処理の結果に応じた出力情報」とは、異常な測定情報か、正常な測定情報かを明示する態様の出力情報でも良いし、異常と正常の閾値を明示したチャート等でも良い。
【００９８】
（ステップＳ５１１）出力部１２０７は、ステップＳ５１０で構成した出力情報を出力する。ここでの出力とは、クライアント装置１３への送信である。そして、ステップＳ５０１に戻る。
【００９９】
（ステップＳ５１２）元情報受信部１２０２は、１以上の元情報を、製造装置１１から受信したか否かを判断する。元情報を受信すれば、一時的に図示しないメモリ等に蓄積してステップＳ５０８に進み、元情報を受信しなければステップＳ５０１に戻る。
【０１００】
（ステップＳ５１３）測定情報蓄積部１２０４は、元情報受信部１２０２が受信した元情報に対して所定の演算を行い、１以上の測定情報を取得する。複数の元情報に対して所定の演算を行うとは、複数の元情報が有する複数の組が有する１種類以上の値それぞれに対して所定の演算（平均値算出、標準偏差算出、最大値取得など）を行うことである。ただし、所定の演算は行わなくても良い。また、所定の演算の対象となる複数の元情報とは、所定時間間隔（例えば、１０分）ごとの複数の元情報ごとであってり、所定のステップ数ごとの複数の元情報ごとである。なお、測定情報蓄積部１２０４は、元情報受信部１２０２が受信した元情報、あるいは測定情報に対して、元情報受信部１２０２が受信した製造装置識別子やレシピ識別子等を適宜付加するようにしても良い。
【０１０１】
（ステップＳ５１４）測定情報蓄積部１２０４は、ステップＳ５１３で取得した１以上の測定情報を測定情報格納部１２０１に蓄積する。ステップＳ５０１に戻る。
【０１０２】
なお、図５のフローチャートにおいて、電源オフや処理終了の割り込みにより処理は終了する。
【０１０３】
また、図５のフローチャートにおいては、チャートの出力指示を受け付ける前に、測定情報が蓄積されている、とする。
【０１０４】
また、図５のフローチャートにおいて、測定情報の代わりに元情報を蓄積しておいて、チャートなどの出力情報の出力を行う際に、複数の元情報に対して所定の演算を行い、１以上の測定情報を取得し、当該１以上の測定情報を用いて出力情報を構成し、出力しても良い。つまり、測定情報を構成するタイミングは問わない。
【０１０５】
以下、図５のフローチャートにおいてステップＳ５０６に示した、サブレシピのｍ番目の処理回の測定情報を取得する処理について図６のフローチャートを用いて説明する。ここでは、出力指示に、出力対象となる測定情報が取得された際に実行されていたサブレシピステップに対応したサブレシピ識別子、およびサブレシピのｍ番目の処理回を示す情報が、含まれているものとする。ｍ番目の処理回の値が、ここではｓ（ｓは正の整数）であるとする。例えば出力指示により指定されている複数の処理回のうちの、ｍ番目の処理回が５回目である場合、ｓ＝５となる。また、ここでは、説明を簡略化するために、出力指示に製造装置識別子およびレシピ識別子が含まれており、測定情報格納部１２０１に格納されている測定情報のうちの、出力指示に含まれる製造装置識別子およびレシピ識別子が一致する測定情報内から、測定情報が検索されるものとする。
【０１０６】
（ステップＳ６０１）測定情報取得部１２０３は、カウンターｎに１を代入する。
【０１０７】
（ステップＳ６０２）測定情報取得部１２０３は、カウンターｋを０を代入する。
【０１０８】
（ステップＳ６０３）測定情報取得部１２０３は、時刻情報に応じてソートされた、出力指示に含まれる製造装置識別子およびレシピ識別子が一致する測定情報の中に、ｎ番目の測定情報があるか否かを判断する。ある場合、ステップＳ６０４に進み、ない場合、上位関数にリターンする。なお、ない場合、対応する測定情報がない旨等のエラー出力を行った後、上位関数にリターンしても良い。
【０１０９】
（ステップＳ６０４）測定情報取得部１２０３は、ｎ番目の測定情報が、出力指示に含まれるサブレシピ識別子と一致するサブレシピ識別子を有するか否かを判断する。ここで述べる一致は、完全一致であっても部分一致であっても良い。有する場合、ステップＳ６０５に進み、有さない場合、ステップＳ６１４に進む。
【０１１０】
（ステップＳ６０５）測定情報取得部１２０３は、カウンターｋを１インクリメントする。
【０１１１】
（ステップＳ６０６）測定情報取得部１２０３は、カウンターｋの値がｓであるか否かを判断する。ｓであれば、ステップＳ６０７に進み、ｓでなければ、ステップＳ６１５に進む。
【０１１２】
（ステップＳ６０７）測定情報取得部１２０３は、ｎ番目の測定情報を取得する。なお、ここで述べる測定情報の取得とは、測定情報内の測定値だけを取得することであってもよい。
【０１１３】
（ステップＳ６０８）測定情報取得部１２０３は、ステップＳ６０７で取得した測定情報を図示しないメモリ等に追記して蓄積する。また、メモリ等に蓄積する際に、測定情報に、ｍ番目の処理回の値ｓを付加するようにしても良い。これにより、このｓの値を出力して、所望のサブレシピが何回目に実行された測定情報であるかを、判別することが可能となる。最終的に、このメモリ等に蓄積された測定情報が、測定情報取得部１２０３が取得した、複数回実行される所望のサブレシピの、ｍ番目の処理回において取得された測定情報となる。
【０１１４】
（ステップＳ６０９）測定情報取得部１２０３は、カウンターｎを１インクリメントする。
【０１１５】
（ステップＳ６１０）測定情報取得部１２０３は、ステップＳ６０３と同様に、ｎ番目の測定情報があるか否かを判断する。ある場合、ステップＳ６１１に進み、ない場合、上位関数にリターンする。なお、ない場合、対応する測定情報がない旨等のエラー出力を行った後、上位関数にリターンしても良い。
【０１１６】
（ステップＳ６１１）測定情報取得部１２０３は、ステップＳ６０４と同様に、ｎ番目の測定情報が、出力指示に含まれるサブレシピ識別子と一致するサブレシピ識別子を有するか否かを判断する。有する場合、ステップＳ６１２に進み、有さない場合、上位関数にリターンする。
【０１１７】
（ステップＳ６１２）測定情報取得部１２０３は、ｎ番目の測定情報に対応したサブレシピステップ識別子の値が、出力指示に含まれる製造装置識別子およびレシピ識別子が一致するとともに、ｎ番目の測定情報の時刻情報に対して直前の値の時刻情報をもつ、ｎ−１番目の測定情報に対応したサブレシピステップ識別子の値と一致するか否かを判断する。一致する場合、ステップＳ６０７に進み、一致しない場合、ステップＳ６１３に進む。ただし、ここでは、サブレシピステップ識別子は、サブレシピステップの処理順番に従って、値が１ずつ増加する数値を含む値に設定されているものとする。
【０１１８】
（ステップＳ６１３）測定情報取得部１２０３は、ｎ番目の測定情報に対応したサブレシピステップ識別子の値が、ｎ−１番目の測定情報に対応したサブレシピステップ識別子の値を１インクリメントした値、と一致するか否かを判断する。一致する場合、ステップＳ６０７に戻り、一致しない場合、上位関数にリターンする。なお、一致しないということは、測定情報が、サブレシピを構成するサブレシピステップの配列の規則性に合致していないことを意味する。この処理により、サブレシピを構成する複数のサブレシピステップが繰り返し行われているか否かを判断でき、これにより、サブレシピが繰り返し行われたことを判断することができる。サブレシピが繰り返されていた場合、その時点で、サブレシピの処理回が変更されるため、測定値を取得する処理が終了される。
【０１１９】
（ステップＳ６１４）測定情報取得部１２０３は、カウンターｎを１インクリメントする。そして、ステップＳ６０３に戻る。
【０１２０】
（ステップＳ６１５）測定情報取得部１２０３は、カウンターｎを１インクリメントする。
【０１２１】
（ステップＳ６１６）測定情報取得部１２０３は、ステップＳ６０３と同様に、ｎ番目の測定情報があるか否かを判断する。ある場合、ステップＳ６１７に進み、ない場合、上位関数にリターンする。なお、ない場合、対応する測定情報がない旨等のエラー出力を行った後、上位関数にリターンしても良い。
【０１２２】
（ステップＳ６１７）測定情報取得部１２０３は、ステップＳ６０４と同様に、ｎ番目の測定情報が、出力指示に含まれるサブレシピ識別子と一致するサブレシピ識別子を有するか否かを判断する。有する場合、ステップＳ６１８に進み、有さない場合、ステップＳ６２０に進む。
【０１２３】
（ステップＳ６１８）測定情報取得部１２０３は、ステップＳ６１２と同様に、ｎ番目の測定情報に対応したサブレシピステップ識別子の値が、ｎ−１番目の測定情報に対応したサブレシピステップ識別子の値と一致するか否かを判断する。一致する場合、ステップＳ６１５に戻り、一致しない場合、ステップＳ６１９に進む。
【０１２４】
（ステップＳ６１９）測定情報取得部１２０３は、ステップＳ６１３と同様に、ｎ番目の測定情報に対応したサブレシピステップ識別子の値が、ｎ−１番目の測定情報に対応したサブレシピステップ識別子の値を１インクリメントした値、と一致するか否かを判断する。一致する場合、ステップＳ６１５に戻り、一致しない場合、ステップＳ６０５に戻る。
【０１２５】
なお、図６のフローチャートにおいて、電源オフや処理終了の割り込みにより処理は終了する。
【０１２６】
なお、図６のフローチャートにおいて、サブレシピが、連続して繰り返し実行されることがないことが、予め分かっている場合、サブレシピステップが繰り返し行われているかを判断する処理が不要となるため、ステップＳ６１２およびステップＳ６１３の処理と、ステップＳ６１８およびステップＳ６１９の処理とを省略してもよい。この場合、ステップＳ６１２の処理により、サブレシピステップ識別子の値が一致すると判断された場合、ステップＳ６０７に戻るようにし、ステップＳ６１７の処理により、サブレシピステップ識別子の値が一致すると判断された場合、ステップＳ６１５に戻るようにすればよい。
【０１２７】
さらに、図５および図６のフローチャートにおいて、ユーザが、出力情報の出力指示を入力することにより、リアルタイムに異常検知が開始され、元情報を受信する度に、出力情報（チャートなど）を更新しながら異常検知処理を行い、異常が起こればすぐにユーザに知らせるようにすることは好適である。つまり、図５および図６のフローチャートにおいて、以下の処理を行うことはさらに好適である。例えば、元情報受信部１２０２は、製造装置１１での製造中等において、製造装置１１から次々と送られてくる元情報をリアルタイムに受信し、測定情報蓄積部１２０４は、測定情報格納部１２０１に測定情報を少なくとも一時的に順次蓄積する。そして、測定情報取得部１２０３は、測定情報を蓄積する毎に、この測定情報に対して、ステップＳ５０３からステップＳ６１９までの処理を実施していくようにすればよい。このとき、図６のフローチャートにおいては、上記の順次蓄積された測定情報を、ｎ番目の測定情報として適宜取り扱うようにし、ｎの値を１インクリメントする際には、次に蓄積される測定情報を適宜取り扱いようにすればよい。かかる処理により、リアルタイムに製造装置１１の状態を確認できるとともに、リアルタイムに異常検知がなされ、ユーザは異常の発生を直ちに認識できる。
【０１２８】
また、所望のサブレシピの全ての処理回の測定値を、処理回毎に取得する指示を受け付けた場合には、図５に示したフローチャートにおいて、ステップＳ５０５の処理を省略するとともに、ｍ番目の処理回の値をｍに設定、すなわちｍ＝ｓに設定するようにして、ｍの値を１インクリメントさせながら、ステップＳ５０６の処理、すなわち図６のフローチャートの処理を繰り返して、処理回ごとの測定値を取得するとともに、ステップＳ５０６の処理、すなわち図６のフローチャートの処理において、エラーが出力される等により、測定値が取得されなかった場合に、ステップＳ５０９に進むようにすればよい。
【０１２９】
あるいは、所望のサブレシピ識別子を有する測定情報を、異なるステップ識別子毎に取得するようにして、所望のサブレシピの全ての処理回の測定値を、処理回毎に取得するようにしてもよい。
【０１３０】
次に、クライアント装置１３の動作について説明する。クライアント装置１３の指示入力部１３０１がユーザからチャートの出力指示を受け付けた場合、指示送付部１３０２は、当該出力指示をサーバ装置１２に送付し、サーバ装置１２での処理結果であるチャートの情報を受付部１３０３が受け付け、表示部１３０４がチャートを表示する。
【０１３１】
以下、本実施の形態における群管理システムの具体的な動作について説明する。群管理システムの概念図は図１である。
【０１３２】
図７は、１以上の製造装置１１のレシピ格納部１１０２に格納されているレシピを管理するレシピ管理表である。レシピ管理表は、「レシピ識別子」、「ステップ識別子」、「処理条件」という属性を有している。「レシピ識別子」はレシピ識別子、「ステップ識別子」はレシピを構成するステップのステップ識別子、「処理条件」は、各ステップの処理条件、例えば、処理時間や、処理温度等の設定、である。なお、「ステップ識別子」の属性値が、サブレシピ識別子である場合、そのサブレシピの処理が、当該ステップにおいて実行されることを示す。
【０１３３】
図８は、１以上の製造装置１１のレシピ格納部１１０２に格納されているサブレシピを管理するサブレシピ管理表である。サブレシピ管理表は、「サブレシピ識別子」、「サブレシピステップ識別子」、「処理条件」という属性を有している。「サブレシピ識別子」はサブレシピ識別子、「ステップ識別子」はサブレシピを構成するサブレシピステップのサブレシピステップ識別子、「処理条件」は、各サブレシピステップの処理条件、例えば、処理時間や、処理温度等の設定、である。なお、サブレシピおよびサブレシピステップは、基本的には、レシピおよびステップと同様であるので、サブレシピの代わりにレシピを用いることも可能である。
【０１３４】
本具体例において、１以上の製造装置１１の入力受付部１１０１が、ユーザからのウエハに対する加工処理の開始指示を受け付けると、処理部１１０５は、レシピ格納部１１０２のレシピを読み出し、読み出したレシピをステップ毎に実行し、ウエハの加工処理を進める。そして、測定部１１０６は、ウエハの加工処理中、例えば、１秒ごとに、予め決められた炉内のガス流量を測定し、取得したガス流量と、計時部１１０４から取得した時刻情報と、レシピ格納部１１０２から取得したステップ識別子とを対にした元情報を構成する。このとき、実行するステップが、サブレシピを実行するステップである場合、そのサブレシピを構成するサブレシピステップを、順次実行する。そして、取得したガス流量等の測定値と、計時部１１０４から取得した時刻情報と、レシピ格納部１１０２から取得したステップ識別子とに加えて、さらに実行中のサブレシピ識別子と、実行中のサブレシピステップ識別子とを対にした元情報を構成する。構成した元情報は、元情報蓄積部１１０７により一時的に蓄積される。蓄積された元情報の例は、図９である。ここでは、説明を簡単にするために測定値が、ガス流量の測定値である場合について説明しており、以下についても同様とする。なお、サブレシピ識別子とサブレシピステップ識別子がない元情報については、これらの識別子を省略するか、もしくは、これらの識別子が格納される位置に、これらの識別子がないことを示す情報を格納しておく。元情報は、ステップ識別子、サブレシピ識別子、サブレシピステップ識別子、ガス流量、時刻情報を有する。なお、時刻情報は、時刻を示す情報であり、時・分・秒までを特定する情報でも良いし、日時、および時だけの情報でも良い。なお、この元情報が、データタイプ（測定情報のデータの種類であり、例えば、ガス流量や温度や圧力などがある）の情報、ここではガス流量であることを示す情報、を含んでいてもよい。
【０１３５】
製造装置１１の元情報送信部１１０８は、レシピを構成するすべてのステップの実行が完了した段階で、元情報蓄積部１１０７により蓄積された元情報を、サーバ装置１２に送信する。また、製造装置１１の元情報送信部１１０８は、製造装置識別子格納部１１０３の製造装置識別子、およびレシピ格納部１１０２のレシピ識別子（被処理基板に対する所定のプロセスを行う際に実行したレシピの識別子）を読み出し、サーバ装置１２に送信する。なお、ここでは、すべてのステップが終了した際に、元情報をサーバ装置１２に送信するようにしたが、例えば、１つの元情報を取得する毎に、リアルタイムにサーバ装置１２に送信するようにしても良い。
【０１３６】
次に、サーバ装置１２の元情報受信部１２０２は、ステップ識別子と、ガス流量と時刻情報との組により構成される元情報を受信する。また、製造装置識別子、およびレシピ識別子を受信する。そして、測定情報蓄積部１２０４は、ステップ識別子とガス流量と時刻情報との複数の組、レシピ識別子、および製造装置識別子を有する元情報を図示しないメモリ等に蓄積する。かかる元情報の例を図１０に示す。図１０は、元情報管理表である。元情報管理表は、「製造装置識別子」、「レシピ識別子」、「ステップ識別子」、「ステップ識別子」、「サブレシピ識別子」、「値（ガス流量）」「時刻情報」を有する。図１０の元情報管理表は、一の製造装置識別子およびレシピ識別子に対して、値（ここでは、１種類）と、ステップ識別子と、時刻情報との複数の組が対応するデータ構造を有している。また、図１０においては、１以上の製造装置１１、および複数のレシピの実行に対応した元情報が管理されているものとする。なお、図１０の元情報等の値は、説明のために用意された情報であり、実測値ではない。
【０１３７】
次に、測定情報蓄積部１２０４は、図１０に示した複数の元情報に対して所定の演算を行い、複数の測定情報を取得する。ここでは、所定の演算は、平均値の算出であり、測定情報蓄積部１２０４は、１０秒おきに平均値を算出する、とする。測定情報蓄積部１２０４はこの複数の測定情報を、測定情報格納部１２０１に蓄積する。図１１は、測定情報蓄積部１２０４に蓄積されている測定情報を管理するための、測定情報管理表である。測定情報管理表は、「製造装置識別子」、「レシピ識別子」、「ステップ識別子」、「サブレシピ識別子」、「サブレシピステップ識別子」、「平均値（ガス流量）」、「時刻情報」を有する。製造装置識別子」、「レシピ識別子」、「ステップ識別子」、「サブレシピ識別子」、「サブレシピステップ識別子」、「時刻情報」は、図１０と同様である。また、平均値は、測定情報蓄積部１２０４が算出した平均値である。
【０１３８】
また、条件情報格納部１２０９には、炉内のガス流量の正常／異常を判断する条件情報「２６０＜＝ガス流量＜＝２８０」を格納している、とする。
【０１３９】
かかる状況において、ユーザは、クライアント装置１３から、図１２に示す画面に対して、必要な情報を入力し、「チャート出力」ボタンを押下する、とする。図１２は、チャートの出力指示を入力し、チャートを出力するための画面である。ここで、必要な情報とは、出力したいサブレシピを指定するための情報、具体的にはサブレシピ識別子と、そのサブレシピの１以上の処理回を指定する情報、ここでは、１回目と、３回目とを指定する情報であり、図１２に示すように、フィールド１０１にサブレシピ識別子が、また、フィールド１０２に出力対象となる処理回を指定する値が入力されている。なお、「全て」を指定するチェックボックス１０３にチェックをいれると、処理回の全てを出力対象に指定することとなる。この情報の他には、データタイプ（測定情報のデータの種類であり、例えば、ガス流量や温度や圧力などがある）、製造装置識別子、レシピ識別子のうちの１以上の情報等の情報が適宜指定される。図１２においては、サブレシピ識別子「ＳＲ０１」および処理回「１，３」と、データタイプ「ガス流量」と、製造装置識別子「Ｅ１」と、レシピ識別子「Ｒ１」とが入力されていることとなる。したがって、かかる状況で、ユーザが「チャート出力」ボタンを押下すれば、指示入力部１３０１は、「ガス流量」の測定情報（例えば、図１１に示す情報）のうち、「サブレシピ識別子＝ＳＲ０１」かつ「処理回＝１，２，３」かつ「製造装置識別子＝Ｅ１」かつ「レシピ識別子＝Ｒ１」の条件に合致する測定情報を出力する出力指示を受け付ける。なお、かかる出力指示の例は、例えば、「チャート出力  サブレシピ識別子＝"ＳＲ０１"，処理回＝"１，３"，データタイプ＝"ガス流量"，製造装置識別子＝"Ｅ１"，レシピ識別子＝"Ｒ１"」である。
【０１４０】
次に、指示送付部１３０２は、出力指示「チャート出力  サブレシピ識別子＝"ＳＲ０１"，処理回＝"１，３"，データタイプ＝"ガス流量"，製造装置識別子＝"Ｅ１"，レシピ識別子＝"Ｒ１"」をサーバ装置１２に送信する。
【０１４１】
そして、サーバ装置１２の指示受付部１２０５は、出力指示「チャート出力  サブレシピ識別子＝"ＳＲ０１"，処理回＝"１，３"，データタイプ＝"ガス流量"，製造装置識別子＝"Ｅ１"，レシピ識別子＝"Ｒ１"」を受信する。
【０１４２】
次に、サーバ装置１２の測定情報取得部１２０３は、測定情報格納部１２０１に格納されている測定情報から、出力指示「チャート出力  サブレシピ識別子＝"ＳＲ０１"，処理回＝"１，３"，データタイプ＝"ガス流量"，製造装置識別子＝"Ｅ１"，レシピ識別子＝"Ｒ１"」に合致する測定情報を検索し、取得する。
【０１４３】
まず、測定情報取得部１２０３は、１番目の処理回である１回目に実行されたサブレシピについての測定情報を取得する。測定情報取得部１２０３は、図１１に示す測定情報管理表に基づいて、処理回ｓの値を「１」に設定する。そして、測定情報取得部１２０３は、カウンターｎの値を１に設定して、このカウンターｎの値を１ずつインクリメントしながら、製造装置識別子が"Ｅ１"で、レシピ識別子が"Ｒ１"である測定情報のうちの、時間軸に沿ったｎ番目の測定情報について、サブレシピ識別子が、出力指示に含まれるサブレシピ識別子であるＳＲ０１と一致するか否かを順次判断していく。ここでは、ステップ識別子が「Ｓ１」である測定情報は、すべてサブレシピ識別子を有していないため、ステップ識別子が「Ｓ２」である測定情報のうちの最初の測定情報、すなわち「時刻情報」が「２００５／１２／０２  １６：２０：００」である測定情報のサブレシピ識別子が"ＳＲ０１"一致すると判断される。そして、カウンターｋの値を「１」に設定する。このカウンターｋの値が、処理回ｓの値である「１」と一致するため、測定情報取得部１２０３は、この測定情報を取得して、メモリ等に蓄積する。なお、このとき「値（ガス流量）」の属性値だけを取得して蓄積するようにしてもよい。かかることは、測定情報取得部１２０３が、他の測定情報を取得する際においても同様である。
【０１４４】
つぎに、測定情報取得部１２０３はカウンターｎを１インクリメントさせてｎ番目の測定情報のサブレシピ識別子が、出力指示に含まれるサブレシピ識別子であるＳＲ０１と一致するか否かを判断する。ここでは、「時刻情報」が「２００５／１２／０２  １６：２０：１０」である測定情報の「サブレシピ識別子」が出力指示の「ＳＲ０１」と一致する。
【０１４５】
つぎに、ｎ番目の測定情報のサブレシピステップ識別子が、ｎ−１番目の測定情報のサブレシピステップ識別子、もしくはそのサブレシピステップ識別子の数値部分を１インクリメントした値と一致するか否か判断する。ここでは、ｎ−１番目の測定情報のサブレシピステップ識別子と一致しているため、この測定情報を取得し、蓄積する。
【０１４６】
そして、同様の処理を繰り返す。なお、ここでは、「時刻情報」が「２００５／１２／０２  １６：２０：００」から、「２００５／１２／０２  １６：２４：５０」までの間に、サブレシピの繰り返しは行われておらず。サブレシピステップ識別子ＳＲＳ００４のサブレシピステップと、サブレシピステップ識別子ＳＲＳ００５のサブレシピステップが、それぞれ１回ずつ行われたのみとし、これらの測定情報のサブレシピステップ識別子はＳＲＳ００４からＳＲＳ００５に時間軸に沿って数値部分が単調に増加しているものとする。そして、ｎ番目の測定情報が、「時刻情報」が「２００５／１２／０２  １６：２５：００」である測定情報となった時点で、この測定情報のサブレシピ識別子が、「ＳＲ０２」ではなくなるため、１回目のサブレシピの実行において得られた測定情報を取得する処理が終了する。これにより、「時刻情報」が「２００５／１２／０２  １６：２０：００」から、「２００５／１２／０２  １６：２４：５０」までの測定情報が測定情報取得部１２０３により取得される。なお、ここでは、処理の終了時に、処理回ｓの値を測定情報に付加して蓄積するものとする。
【０１４７】
つぎに、測定情報取得部１２０３は、第２番目の処理回である３回目に実行されたサブレシピについての測定情報を取得する。測定情報取得部１２０３は、図１１に示す測定情報管理表に基づいて、処理回ｓの値を「３」に設定する。そして、測定情報取得部１２０３は、カウンターｎの値を１に設定して、このカウンターｎの値を１ずつインクリメントしながら、製造装置識別子が"Ｅ１"で、レシピ識別子が"Ｒ１"である測定情報のうちの、時間軸に沿ったｎ番目の測定情報について、サブレシピ識別子が、出力指示に含まれるサブレシピ識別子であるＳＲ０１と一致するか否かを順次判断していく。ここでは、ステップ識別子が「Ｓ１」である測定情報は、すべてサブレシピ識別子を有していないため、ステップ識別子が「Ｓ２」である測定情報のうちの最初の測定情報、すなわち「時刻情報」が「２００５／１２／０２  １６：２０：００」である測定情報のサブレシピ識別子が"ＳＲ０１"一致すると判断される。そして、カウンターｋの値を初期値である「０」から、値を１インクリメントした「１」に設定する。このカウンターｋの値が、処理回ｓの値である「３」と一致しないため、測定情報取得部１２０３は、この測定情報を取得しない。
【０１４８】
つぎに、測定情報取得部１２０３はカウンターｎを１インクリメントさせてｎ番目の測定情報のサブレシピ識別子が、出力指示に含まれるサブレシピ識別子であるＳＲ０１と一致するか否かを判断する。ここでは、一致するため、ｎ番目の測定情報のサブレシピステップ識別子が、ｎ−１番目の測定情報のサブレシピステップ識別子、もしくはそのサブレシピステップ識別子の数値部分を１インクリメントした値と一致するか否か判断される。ここでは一致するため、再度、ｎの値を１ずつインクリメントさせて、再度、ｎ番目の測定情報のサブレシピ識別子が、出力指示に含まれるサブレシピ識別子であるＳＲ０１と一致するか否かの判断処理と、ｎ番目の測定情報のサブレシピステップ識別子が、ｎ−１番目の測定情報のサブレシピステップ識別子、もしくはそのサブレシピステップ識別子の数値部分を１インクリメントした値と一致するか否かの判断処理とが繰り返される。
【０１４９】
そして、ｎ番目の測定情報が、「時刻情報」が「２００５／１２／０２  １６：２５：００」である測定情報となった時点で、この測定情報のサブレシピ識別子が、「ＳＲ０２」ではなくなるため、１回目に実行されたサブレシピに対応した測定情報を取得する処理が終了する。
【０１５０】
そして、測定情報取得部１２０３は、再び、カウンターｎの値を１インクリメントしながら、製造装置識別子が"Ｅ１"で、レシピ識別子が"Ｒ１"である測定情報のうちの、時間軸に沿ったｎ番目の測定情報について、サブレシピ識別子が、出力指示に含まれるサブレシピ識別子であるＳＲ０１と一致するか否かを順次判断していく。ここでは、「時刻情報」が「２００５／１２／０２  １６：５５：００」である測定情報の「サブレシピ識別子」が出力指示の「ＳＲ０１」と一致する。そして、カウンターｋの値を１インクリメントして「２」に設定する。このカウンターｋの値が、処理回ｓの値である「１」と一致しないため、測定情報取得部１２０３は、この測定情報を取得しない。
【０１５１】
つぎに、測定情報取得部１２０３はカウンターｎを１インクリメントさせてｎ番目の測定情報のサブレシピ識別子が、出力指示に含まれるサブレシピ識別子であるＳＲ０１と一致するか否かを判断する。ここでは、一致するため、ｎ番目の測定情報のサブレシピステップ識別子が、ｎ−１番目の測定情報のサブレシピステップ識別子、もしくはそのサブレシピステップ識別子の数値部分を１インクリメントした値と一致するか否か判断される。ここでは一致するため、再度、ｎの値を１ずつインクリメントさせて、再度、ｎ番目の測定情報のサブレシピ識別子が、出力指示に含まれるサブレシピ識別子であるＳＲ０１と一致するか否かの判断処理と、ｎ番目の測定情報のサブレシピステップ識別子が、ｎ−１番目の測定情報のサブレシピステップ識別子、もしくはそのサブレシピステップ識別子の数値部分を１インクリメントした値と一致するか否かの判断処理とが繰り返される。
【０１５２】
ここで、ｎ番目の測定情報が、「時刻情報」が「２００５／１２／０２  １７：００：００」である測定情報となった場合、そのサブレシピステップ識別子「ＳＲ００４」の数値部分「００４」は、ｎ−１番目の測定情報である「時刻情報」が「２００５／１２／０２  １６：５９：５０」の測定情報の、サブレシピステップ識別子「ＳＲ００５」の数値部分「００４」よりも値が小さくなっている。このため、ｎ番目の測定情報のサブレシピステップ識別子が、ｎ−１番目の測定情報のサブレシピステップ識別子、もしくはそのサブレシピステップ識別子の数値部分を１インクリメントした値と一致しないと判断される。そしてカウンターｋの値が１インクリメントされ、カウンターｋの値が「３」に設定される。そして、カウンターｋの値が、処理回ｓの値と同じ「３」となるため、このｎ番目の測定情報が取得される。
【０１５３】
つぎに、測定情報取得部１２０３はカウンターｎを１インクリメントさせてｎ番目の測定情報のサブレシピ識別子が、出力指示に含まれるサブレシピ識別子であるＳＲ０１と一致するか否かを判断する。ここでは、「時刻情報」が「２００５／１２／０２  １７：００：１０」である測定情報の「サブレシピ識別子」が出力指示の「ＳＲ０１」と一致する。
【０１５４】
つぎに、ｎ番目の測定情報のサブレシピステップ識別子が、ｎ−１番目の測定情報のサブレシピステップ識別子、もしくはそのサブレシピステップ識別子の数値部分を１インクリメントした値と一致するか否か判断する。ここでは、ｎ−１番目の測定情報のサブレシピステップ識別子と一致しているため、この測定情報を取得し、蓄積する。
【０１５５】
そして、同様の処理を繰り返す。なお、ここでは、「時刻情報」が「２００５／１２／０２  １７：００：００」から、「２００５／１２／０２  １７：０４：５０」までの間に、サブレシピの繰り返しは行われておらず。サブレシピステップ識別子ＳＲＳ００４のサブレシピステップと、サブレシピステップ識別子ＳＲＳ００５のサブレシピステップが、それぞれ１回ずつ行われたのみとし、これらの測定情報のサブレシピステップ識別子はＳＲＳ００４からＳＲＳ００５に時間軸に沿って数値部分が単調に増加しているものとする。そして、ｎ番目の測定情報が、「時刻情報」が「２００５／１２／０２  １７：０５：００」である測定情報となった時点で、この測定情報のサブレシピ識別子が、「ＳＲ０２」ではなくなるため、３回目のサブレシピの実行において得られた測定情報を取得する処理が終了する。これにより、「時刻情報」が「２００５／１２／０２  １７：００：００」から、「２００５／１２／０２  １７：０４：５０」までの測定情報が測定情報取得部１２０３により取得される。
【０１５６】
図１３は測定情報取得部１２０３が取得した測定情報を管理するための取得情報管理表である。取得情報管理表は「製造装置識別子」、「レシピ識別子」、「ステップ識別子」、「サブレシピ識別子」、「サブレシピステップ識別子」、「平均値（ガス流量）」、「時刻情報」を有する。「製造装置識別子」、「レシピ識別子」、「ステップ識別子」、「サブレシピ識別子」、「サブレシピステップ識別子」、「平均値（ガス流量）」、「時刻情報」は、図１０と同様である。
【０１５７】
ここで、例えば、上述した処理回として１回目と３回目とを指定する代わりに、サブレシピを２回目に処理した際の測定情報を取得する出力指示を受け付けた場合、カウンターｋの値がｓ＝２となった時点の測定情報から、カウンターｋの値がｓ＝３となる直前までの測定情報、すなわち「時刻情報」が「２００５／１２／０２  １７：００：００」である測定情報から「時刻情報」が「２００５／１２／０２  １６：５９：５０」までの測定情報が取得される。
【０１５８】
つぎに、異常検知部１２１０は、測定情報取得部１２０３から図１３に示すような測定情報を取得するとともに、条件情報格納部１２０９から、条件情報「２６０＜＝ガス流量＜＝２８０」を読み出し、当該条件情報を用いて、サブレシピのそれぞれの処理回において得られた測定情報について、異常を検知する。例えば図１３の測定情報の全ての「平均値」が２６０未満であるので、全て異常値である、と判断される。
【０１５９】
次に、出力情報構成部１２０６は、測定情報取得部１２０３が取得した図１３の情報と、異常検知部１２１０の判断結果を用いて、出力情報であるチャートを構成する。本チャートは、横軸が時刻情報の示す時刻、縦軸が値（ガス流量の平均値）である折れ線グラフである。なお、時刻は、サブレシピの実行開始時刻を０分０秒とした相対時刻で表している。また、処理回毎に異なるグラフを構成している。
【０１６０】
次に、出力部１２０７は、出力情報構成部１２０６が構成した折れ線グラフをクライアント装置１３に送信する。
【０１６１】
クライアント装置１３の受付部１３０３は当該折れ線グラフを受信し、表示部１３０４は、図１４に示すように折れ線グラフをディスプレイに表示する。図１４において、正常範囲は、斜線で示している。また、測定情報に含まれる「処理回」の値を用いて、出力情報構成部１２０６で構成した凡例が出力されている。
【０１６２】
なお、ここで、出力情報構成部１２０６が、図１５に示すように、処理回の異なる測定情報のうちの、サブレシピの開始時刻から同じ時刻が経過した際に得られた測定情報同士の平均値を算出し、この平均値のグラフを作成し、図１４のグラフと重ね合わせて出力しても良い。
【０１６３】
また、上記具体例において、所望のサブレシピの全ての処理回の測定値を、処理回毎に取得する指示を受け付けた場合には、例えば、カウンターｋの値が１インクリメントされる毎のサブレシピに対応した測定情報を、上記具体例と同様に取得するようにすればよい。この場合、処理対象となる測定情報、例えば、上記具体例におけるｎ番目の測定情報、がなくなった時点で、処理を終了すればよい。
なお、上記具体例においては、同じサブレシピ内のサブレシピステップについてのサブレシピステップ識別子として、サブレシピステップが実行される順番に従って、値、もしくはその数値部分の値、が１ずつ増加する識別子を用いるようにし、測定情報のサブレシピステップ識別子の値もしくは数値部分の値が、直前の測定情報のサブレシピステップ識別子に対して、同じか１インクリメントした値でない場合に、サブレシピの処理回をカウントアップするようにした。しかしながら、本実施の形態においては、同じサブレシピ内のサブレシピステップについてのサブレシピステップ識別子が、サブレシピステップの配列順等が特定可能な所定の規則性、例えば各サブレシピステップ識別子が、ａ，ｂ，ｃといったアルファベット順に配列される文字を一つずつ持つ等の規則性や、各サブレシピステップ識別子が、処理順に沿って１デクリメントされた値を有する等の規則性、を有しており、測定情報のサブレシピステップ識別子がこの規則性を満たさないと判別された場合に、サブレシピの処理回をカウントアップするようにしてもよい。
【０１６４】
以上、本実施の形態によれば、繰り返し実行されるサブレシピにおいて取得され、サーバ装置１２に蓄積された測定情報について、当該サブレシピの処理回を指定して、当該処理回において得られた測定情報を選択的に出力することが可能となる。これにより、必要な情報だけを、瞬時に提示することが可能となり、製造装置等の異常検知を含めた監視を効率的に行うことが可能となる。
【０１６５】
また、同じサブレシピの異なる処理回に得られた測定情報同士を、一つのチャートに表示して両者を比較しやすくしたり、所定の演算を行って、処理回の違いによる測定情報のばらつきを調べたり、理想的な測定値を取得したりすることができ、サブレシピから得られた測定情報の利用価値を高めることができる。
【０１６６】
また、上記実施の形態においては、サーバ装置１２において、所望のサブレシピに対応して得られた測定情報の群の、出現回数をカウントすることで、サブレシピの処理回に対応した測定情報の群を検出し、取得するようにした。しかしながら、本発明においては、以下のようにして、サブレシピの処理回に対応した測定情報を検出し、取得するようにしても良い。すなわち、製造装置１１において、同じサブレシピ、例えば同じサブレシピ識別子を有するサブレシピが１回実行されるごとに、そのサブレシピが行われた回数をカウンター等でカウントするようにし、そのサブレシピにおいて得られる全ての元情報や、最初の元情報や、最後の元情報等に、この回数のカウント結果を示す情報を付与するようにして、サーバ装置１２に蓄積される測定情報が、サブレシピが行われた回数のカウント結果を示す情報を含むようにする。そして、サーバ装置１２においては、この測定情報の有する、サブレシピが行われた回数のカウント結果を示す情報から、出力指示により指定される所望の処理回に対応した測定情報を検出して、取得するようにしても良い。
【０１６７】
なお、本実施の形態において、出力されるチャートは、図１６に示すように、ＳＰＣチャートを出力する指示である出力指示に合致する複数の測定情報を測定情報格納部１２０１から読み出し、当該読み出した測定情報から、製造装置識別子ごとの測定情報、またはレシピ識別子ごとの測定情報、もしくはその両方、が視覚的に区別できる態様のチャートであり、一種類の測定情報が有する時刻情報が示す時刻の順に、読み出した複数の測定情報をプロットしたチャートであるＳＰＣチャートであっても良い。なお、図１６に示すＳＰＣチャートは、例えば、一つの製造装置識別子の測定情報から構成されているＳＰＣチャートである。また、図１６に示すＳＰＣチャートにおいて、管理値（上限）、および管理値（下限）が出力されている。この管理値の外の値となった場合、異常であることを示している。管理値（上限）、および管理値（下限）は、条件情報格納部１２０９が予め保持している。なお、図１６において用いた測定情報等は、説明にために用意された測定情報であり、本実施の形態において説明した測定情報とは異なるものである。
【０１６８】
また、本実施の形態において、出力されるチャートは、図１７に示すように、相関チャートを出力する指示である出力指示に合致する複数の測定情報を測定情報格納部１２０１から読み出し、当該読み出した測定情報から、製造装置識別子ごとの測定情報、またはレシピ識別子ごとの測定情報、もしくはその両方、が視覚的に区別できる態様のチャートであり、二種類の測定情報（例えば、温度と圧力など）の相関を示すチャートである相関チャートであっても良い。なお、図１７に示す相関チャートは、例えば、一つの製造装置識別子の、二種類の測定情報から構成されている相関チャートである。また、図１７に示す相関チャートにおいて、２つの管理値が出力されている。この２つの管理値の範囲外の値となった場合、異常であることを示している。なお、図１７において用いた測定情報等は、説明にために用意された測定情報であり、本実施の形態において説明した測定情報とは異なるものである。
【０１６９】
また、本実施の形態において、出力されるチャートは、図１８に示すように、ＭＤ（マハラノビス距離）チャートを出力する指示である出力指示が含む一以上の製造装置識別子のいずれか、または一以上のレシピ識別子のいずれか、もしくは、一以上の製造装置識別子のいずれかおよび一以上のレシピ識別子のいずれか、を有する複数の測定情報を、測定情報格納部１２０１から読み出し、当該読み出した測定情報から、製造装置識別子ごとの測定情報、またはレシピ識別子ごとの測定情報、およびその両方の測定情報が視覚的に区別できる態様のチャートであり、三種類以上の測定情報（例えば、２箇所の温度とガス流量と圧力）の相関を示すチャートであるＭＤチャートであっても良い。なお、図１８に示すＭＤチャートは、例えば、一つの製造装置識別子の測定情報から構成されているＭＤチャートである。また、図１８に示すＭＤチャートは、マハラノビスの距離を用いて、例えば異常判定しているチャートである。さらに具体的には、図１８に示すＭＤチャートは、正常時のデータをモデル化し、マハラノビスの距離を用いて異常時の度合いを数値で示すチャートである。また、図１８に示すＭＤチャートにおいて、２つの管理値が出力されている。この２つの管理値の範囲外の値となった場合、異常であることを示している。なお、図１８において用いた測定情報等は、説明にために用意された測定情報であり、本実施の形態において説明した測定情報とは異なるものである。
【０１７０】
また、本実施の形態の具体例において、出力されたチャートは、一の製造装置識別子または一のレシピの測定情報が表示されたチャートであり、一種類の測定情報が有する時刻情報が示す時刻の順に、読み出した複数の測定情報を連結した一の折れ線グラフであった。しかし、出力されるチャートは、図１９に示すように、出力指示が含む３つの製造装置識別子を有する複数の測定情報を測定情報格納部１２０１から読み出し、当該読み出した測定情報から、製造装置識別子ごとの測定情報が視覚的に区別できる態様のチャートであり、一種類の測定情報が有する時刻情報が示す時刻の順に、読み出した複数の測定情報をプロットした３つのチャートであっても良い。かかる場合、出力指示は、例えば、「装置Ａ」「装置Ｂ」「装置Ｃ」の３つの製造装置識別子を含む。そして、測定情報取得部１２０３は、「装置Ａ」「装置Ｂ」「装置Ｃ」をそれぞれキーとして、３度、測定情報格納部１２０１を検索し、３度、測定情報を取得し、それぞれのキーごとに、出力情報構成部１２０６は、異なる点や線の属性値のチャートを別個に構成し、３つのチャートを得る。そして、３つのチャートが出力される。なお、図１９において用いた測定情報等は、説明にために用意された測定情報であり、本実施の形態において説明した測定情報とは異なるものである。
【０１７１】
本実施の形態において、上記のように３つ以上のチャート（ＳＰＣチャート、相関チャート、ＭＤチャートなど）の表示形態を自由に選択でき、様々な観点から、監視や、監視結果の分析が可能となる。
【０１７２】
また、本実施の形態の具体例において、元情報や測定情報は、予めサーバ装置１２が保持していても良い。かかる場合、元情報または測定情報は、図示しない手段により製造装置１１から取得され、記録媒体等を経由してサーバ装置１２に渡される。
【０１７３】
また、本実施の形態において、ユーザは着目するチャートの一部を拡大する指示を入力し、当該チャートの一部のスケールを変えて（測定情報の時間間隔やステップの間隔を変えて）チャート出力することは好適である。
【０１７４】
また、本実施の形態において、元情報と測定情報が同じ構成でも良い。かかる場合、測定情報蓄積部は不要となる。
【０１７５】
また、本実施の形態において、製造装置とサーバ装置間で元情報を送受信することは必須ではない。元情報は、例えば、記録媒体を経由して、製造装置からサーバ装置に与えられても良い。
【０１７６】
また、本実施の形態において、群管理システムは、クライアント装置１３を有さなくても良い。かかる場合、ユーザは、サーバ装置１２に対して、出力指示などの指示を入力する。
【０１７７】
また、本実施の形態の具体例において、製造装置識別子またはレシピ識別子を指定してチャートを出力したが、１以上の製造装置識別子および１以上のレシピ識別子を指定してチャートを出力しても良い。ユーザが、１以上の製造装置識別子および１以上のレシピ識別子を含む出力指定を入力した場合、異常検知部１２１０は、指定された１以上の各製造装置識別子および１以上の各レシピ識別子をそれぞれキーとして測定情報（または元情報）を検索し、異常を検知し、出力情報構成部１２０６は、チャートを構成する。
【０１７８】
また、本実施の形態において、製造装置が、元情報を取得する毎に、逐次、サーバ装置１２に送信する構成である場合、サーバ装置の指示受付部が出力指示を受け付けたことをトリガーとして、リアルタイムに測定情報の取得や、異常検知処理を行い、元情報を受信する毎に出力情報（チャートなど）を更新することは、極めて好適である。異常の発生がユーザに直ちに分かるからである。なお、かかるリアルタイムの異常検知は、以下の処理である。つまり、異常検知部は、測定情報取得部が次々に取得する測定情報に対して、条件情報に合致するか否かを直ちに判断し、出力情報構成部は、異常検知部の判断結果を用いた出力情報を次々に構成し、出力部は、出力情報構成部が構成した出力情報を更新しながら出力する。
【０１７９】
なお、上記各実施の形態において、各処理（各機能）は、単一の装置（システム）によって集中処理されることによって実現されてもよく、あるいは、複数の装置によって分散処理されることによって実現されてもよい。
【０１８０】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、上記各実施の形態におけるサーバ装置を実現するソフトウェアは、以下のようなプログラムである。つまり、このプログラムは、コンピュータに、測定情報格納部に複数格納された、被処理基板に対する所定のプロセスを行う１以上の製造装置で測定された情報についての時系列の情報であり、前記製造装置で所定のレシピを実行した場合の測定値と時刻を示す時刻情報を有する情報である測定情報の出力指示を受け付ける指示受付ステップと、前記出力指示により指定された測定情報を、前記測定情報格納部から取得する測定情報取得ステップと、前記取得した測定情報を用いた出力情報を構成する出力情報構成ステップと、前記出力情報構成ステップで構成した出力情報を出力する出力ステップと、を実行させるためのプログラムであって、前記レシピは、１以上のサブレシピを含み、前記指示受付ステップで受け付ける出力指示は、前記レシピにおいて複数回実行されるサブレシピのうちの、１以上の所望の回に実行されるサブレシピを指定する指示を有し、前記測定情報取得ステップは、前記出力指示により指定されたサブレシピに対応する測定情報を取得するプログラムである。
【０１８１】
また、前記プログラムにおいて、前記測定情報取得ステップは、前記測定情報格納部に格納されている測定情報について、前記出力指示により指定された、前記複数回実行されるサブレシピに対応した測定情報の群が新たに出現する回数をカウントし、当該カウント数が、前記出力指示により指定された所望の回と一致した回の測定情報の群に含まれる１以上の測定情報を取得するプログラムである。
【０１８２】
また、前記プログラムにおいて、前記サブレシピは２以上のステップを含み、前記測定情報取得ステップは、サブレシピを構成する２以上のステップに対応した２以上の測定情報が繰り返し出現する際に、当該繰り返し出現する１以上の測定情報を、前記複数回実行されるサブレシピに対応した測定情報の群とするプログラムである。
【０１８３】
また、前記プログラムにおいて、前記測定情報は、当該測定情報が対応するサブレシピを識別する情報であるサブレシピ識別子を有し、前記複数回実行されるサブレシピに対応した測定情報は、同じサブレシピ識別子を有し、前記測定情報取得ステップは、前記測定情報格納部に格納されている測定情報について、前記出力指示により指定された複数回実行されるサブレシピのサブレシピ識別子が新たに検出された回数をカウントし、当該カウント数が、前記出力指示により指定された所望の回と一致した回のサブレシピ識別子を有する１以上の測定情報を取得するプログラムである。
【０１８４】
また、前記プログラムにおいて、前記サブレシピは２以上のステップを含み、前記サブレシピに対応する測定情報は、ステップを識別するためのステップ識別子を含み、前記測定情報取得ステップは、同じサブレシピ識別子を有する連続した測定情報において、２以上のステップ識別子が繰り返し出現するごとに、カウントアップを行うプログラムである。
【０１８５】
また、前記プログラムにおいて、前記指示受付ステップは、前記レシピにおいて複数回実行されるサブレシピのうちの、２以上の所望の回に実行されるサブレシピを指定する前記出力指示を受け付け、前記測定情報取得ステップは、２以上の異なる回のサブレシピに対応した測定情報を取得し、前記出力情報構成ステップは、前記測定情報取得ステップで取得した２以上の異なる回のサブレシピに対応した測定情報のうちの、各サブレシピ内の所定の始点からの経過時間が一致する測定情報に対して、所定の演算を行い、その演算結果に応じた出力情報を構成するプログラムである。
【０１８６】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０１８７】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。
【０１８８】
また、このプログラムを実行するコンピュータは、単数であってもよく、複数であってもよい。すなわち、集中処理を行ってもよく、あるいは分散処理を行ってもよい。
【０１８９】
また、上記各実施の形態において、一の装置に存在する２以上の通信手段（情報送信部など）は、物理的に一の媒体で実現されても良いことは言うまでもない。
【０１９０】
本発明は、以上の実施の形態に限定されることなく、種々の変更が可能であり、それらも本発明の範囲内に包含されるものであることは言うまでもない。
【０１９１】
また、上記各実施の形態では、サーバ装置がスタンドアロンである場合について説明したが、サーバ装置は、スタンドアロンの装置であってもよく、サーバ・クライアントシステムにおけるサーバ装置であってもよい。後者の場合には、出力部や受付部は、通信回線を介して入力を受け付けたり、画面を出力したりすることになる。
【産業上の利用可能性】
【０１９２】
以上のように、本発明にかかるサーバ装置等は、本発明にかかるサーバ装置等は、被処理基板に対する所定のプロセスを行う１以上の製造装置と、当該１以上の製造装置と接続されるサーバ装置とを具備する群管理システムの、サーバ装置等として適しており、特に、サブレシピ等において取得された測定情報等を、選択的に出力可能なサーバ装置等として有用である。
【符号の説明】
【０１９３】
１１  製造装置
１２  サーバ装置
１３  クライアント装置
１０１  フィールド
１０２  フィールド
１０３  チェックボックス
１１０１  入力受付部
１１０２  レシピ格納部
１１０３  製造装置識別子格納部
１１０４  計時部
１１０５  処理部
１１０６  測定部
１１０７  元情報蓄積部
１１０８  元情報送信部
１２０１  測定情報格納部
１２０２  元情報受信部
１２０３  測定情報取得部
１２０４  測定情報蓄積部
１２０５  指示受付部
１２０６  出力情報構成部
１２０７  出力部
１２０８  出力指示蓄積部
１２０９  条件情報格納部
１２１０  異常検知部
１３０１  指示入力部
１３０２  指示送付部
１３０３  受付部
１３０４  表示部
【図１】
0005453494.tif 000002
【図２】
0005453494.tif 000003
【図３】
0005453494.tif 000004
【図４】
0005453494.tif 000005
【図５】
0005453494.tif 000006
【図６】
0005453494.tif 000007
【図７】
0005453494.tif 000008
【図８】
0005453494.tif 000009
【図９】
0005453494.tif 000010
【図１０】
0005453494.tif 000011
【図１１】
0005453494.tif 000012
【図１２】
0005453494.tif 000013
【図１３】
0005453494.tif 000014
【図１４】
0005453494.tif 000015
【図１５】
0005453494.tif 000016
【図１６】
0005453494.tif 000017
【図１７】
0005453494.tif 000018
【図１８】
0005453494.tif 000019
【図１９】
0005453494.tif 000020